(57)【要約】  映像信号送信装置において、基本イメージ生成部は、色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、基本ストリーム生成部は、色信号基本イメージ毎に、前記基本イメージ生成部により生成された色信号基本イメージの画素を所定の順序で取り出し、基本ストリームを生成し、リンク信号生成部は、前記基本ストリーム生成部により生成された同一または異なる色信号コンポーネントにおける所定数の基本ストリームを合成し、前記合成した基本ストリームのビット長単位を異なるビット長に符号化し、所定速度のリンク信号を生成する。
2014038597.tif 000002
【特許請求の範囲】
【請求項１】
所定数の色信号コンポーネントからなる動画像の映像信号から、所定速度のリンク信号を生成し、所定数の前記リンク信号を送信する映像信号送信装置であって、
前記映像信号を構成する所定数の色信号コンポーネントのそれぞれに対応して、色信号基本イメージを生成する基本イメージ生成部と、
基本ストリームを生成する基本ストリーム生成部と、
リンク信号を生成するリンク信号生成部と、を備え、
前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、
前記基本ストリーム生成部は、前記色信号基本イメージ毎に、前記基本イメージ生成部により生成された色信号基本イメージの画素を所定の順序で取り出し、基本ストリームを生成し、
前記リンク信号生成部は、前記基本ストリーム生成部により生成された同一または異なる色信号コンポーネントにおける所定数の基本ストリームを合成し、前記合成した基本ストリームのビット長単位を異なるビット長に符号化し、前記所定速度のリンク信号を生成する映像信号送信装置。
【請求項２】
請求項１に記載の映像信号送信装置において、
前記基本イメージ生成部は、
前記色信号コンポーネントのフレームに対し、偶数ライン上で隣り合う画素を、交互に第１の色信号サブイメージと第２の色信号サブイメージとにマッピングすると共に、奇数ライン上で隣り合う画素を、交互に第３の色信号サブイメージと第４の色信号サブイメージとにマッピングし、
（ａ）前記マッピングしたそれぞれの色信号サブイメージに対し、偶数ライン上で隣り合う画素を、交互に第１の色信号基本イメージと第２の色信号基本イメージとにマッピングすると共に、奇数ライン上で隣り合う画素を、交互に第３の色信号基本イメージと第４の色信号基本イメージとにマッピングする処理、
（ｂ）前記マッピングしたそれぞれの色信号サブイメージを、水平ライン方向及び垂直方向にそれぞれ２等分し、第１、第２、第３及び第４の色信号基本イメージにマッピングする処理、
（ｃ）前記マッピングしたそれぞれの色信号サブイメージを、水平ライン方向に４等分し、第１、第２、第３及び第４の色信号基本イメージにマッピングする処理、及び、
（ｄ）前記マッピングしたそれぞれの色信号サブイメージを、第１、第２、第３及び第４の色信号基本イメージとして扱う処理
のいずれか１つを行う映像信号送信装置。
【請求項３】
請求項２に記載の映像信号送信装置において、
前記基本イメージ生成部は、
さらに、前記４つの色信号基本イメージのうちの２つの色信号基本イメージから、それぞれの画素をフレーム毎に多重化して所定の配置に配列することで、第１の色信号倍速基本イメージにおける第１フレームと第２フレームとを順番に生成し、前記４つの色信号基本イメージのうちの他の２つの色信号基本イメージから、それぞれの画素をフレーム毎に多重化して所定の配置に配列することで、第２の色信号倍速基本イメージにおける第１フレームと第２フレームとを順番に生成し、
前記第１及び第２の色信号倍速基本イメージにおける第１フレームを、前記映像信号に対して２倍のフレーム周波数の信号として扱い、前記第１及び第２の色信号倍速基本イメージにおける第２フレームを、前記映像信号に対して２倍のフレーム周波数の信号として扱い、
前記基本ストリーム生成部は、前記基本イメージ生成部により生成された色信号倍速基本イメージの画素を所定の順序で取り出し、基本ストリームを生成する映像信号送信装置。
【請求項４】
請求項２に記載の映像信号送信装置において、
前記基本イメージ生成部は、
さらに、前記４つの色信号基本イメージのうちの２つの色信号基本イメージから、水平ライン方向の画素をライン毎に多重化して所定の配置に配列することで、第１の色信号倍速基本イメージにおける第１フレームと第２フレームとを順番に生成し、前記４つの色信号基本イメージのうちの他の２つの色信号基本イメージから、水平ライン方向の画素をライン毎に多重化して所定の配置に配列することで、第２の色信号倍速基本イメージにおける第１のフレームと第２フレームとを順番に生成し、
前記第１及び第２の色信号倍速基本イメージにおける第１フレームを、前記映像信号に対して２倍のフレーム周波数の信号として扱い、前記第１及び第２の色信号倍速基本イメージにおける第２フレームを、前記映像信号に対して２倍のフレーム周波数の信号として扱い、
前記基本ストリーム生成部は、前記基本イメージ生成部により生成された色信号倍速基本イメージの画素を所定の順序で取り出し、基本ストリームを生成する映像信号送信装置。
【請求項５】
請求項２に記載の映像信号送信装置において、
前記基本イメージ生成部は、
前記所定数の色信号コンポーネントからなる動画像の映像信号の形式に応じた数の色信号サブイメージを生成する、ことを特徴とする映像信号送信装置。
【請求項６】
請求項１に記載の映像信号送信装置において、
前記動画像の映像信号のフレーム周波数として、２４Ｈｚ、２５Ｈｚ、３０Ｈｚ、５０Ｈｚ、６０Ｈｚ、１２０Ｈｚ、２４×（１０００／１００１）Ｈｚ、３０×（１０００／１００１）Ｈｚ、６０×（１０００／１００１）Ｈｚ、１２０×（１０００／１００１）Ｈｚのいずれかを用いる映像信号送信装置。
【請求項７】
映像信号送信装置から所定数のリンク信号を受信し、所定数の色信号コンポーネントからなる動画像の映像信号を復元する映像信号受信装置であって、
前記映像信号を構成する所定数の色信号コンポーネントのそれぞれに対応して、色信号基本イメージを復元する基本イメージ復元部と、
ソースイメージを復元するソースイメージ復元部と、
基本ストリームを復元する基本ストリーム復元部と、を備え、
前記基本ストリーム復元部は、前記リンク信号のビット長単位を所定ビット長に復号し、１本の前記リンク信号から同一または異なる色信号コンポーネントにおける所定数の基本ストリームを復元し、
前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、
前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、
前記復元した所定数の色信号コンポーネントのソースイメージを映像信号として出力する映像信号受信装置。
【請求項８】
所定数の色信号コンポーネントからなる動画像の映像信号を入力し、前記映像信号から所定速度のリンク信号を生成し、所定数の前記リンク信号を送信する映像信号送信方法であって、
前記所定数の色信号コンポーネントからなる動画像の映像信号を入力し、
前記色信号コンポーネント毎に、前記色信号コンポーネントのフレームを構成する画素を２次元的に均等間隔で取り出し、
前記取り出した画素を所定の配置で２次元的に配列し、所定数の色信号基本イメージを生成し、
前記色信号基本イメージ毎に、前記色信号基本イメージの画素を所定の順序で取り出し、基本ストリームを生成し、
同一または異なる色信号コンポーネントにおける所定数の前記基本ストリームを合成し、前記合成した基本ストリームのビット長単位を異なるビット長に符号化し、前記所定速度のリンク信号を生成し、
前記生成した所定数のリンク信号を送信する映像信号送信方法。
【請求項９】
所定数のリンク信号を受信し、前記リンク信号から、所定数の色信号コンポーネントからなる動画像の映像信号を復元し、前記復元した映像信号を出力する映像信号受信方法であって、
前記所定数のリンク信号を受信し、
前記リンク信号のビット長単位を所定ビット長に復号し、１本の前記リンク信号から同一または異なる色信号コンポーネントにおける所定数の基本ストリームを復元し、
前記基本ストリーム毎に、前記基本ストリームから前記映像信号のデータを抽出し、前記抽出したデータを画素として所定の順序で配列し、色信号基本イメージを復元し、
同一の色信号コンポーネントにおける所定数の前記色信号サブイメージの画素を所定の順序で多重化し、色信号ソースイメージを復元し、
前記復元した所定数の色信号ソースイメージを、前記所定数の色信号コンポーネントからなる動画像の映像信号として出力する映像信号受信方法。
【請求項１０】
所定数の色信号コンポーネントからなる動画像の映像信号から、所定速度のリンク信号を生成し、所定数の前記リンク信号を送信する映像信号送信装置のコンピュータを、
前記映像信号を構成する所定数の色信号コンポーネントのそれぞれに対応して、色信号基本イメージを生成する基本イメージ生成部と、
基本ストリームを生成する基本ストリーム生成部と、
リンク信号を生成するリンク信号生成部と、して機能させ、
前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、
前記基本ストリーム生成部は、前記色信号基本イメージ毎に、前記基本イメージ生成部により生成された色信号基本イメージの画素を所定の順序で取り出し、基本ストリームを生成し、
前記リンク信号生成部は、前記基本ストリーム生成部により生成された同一または異なる色信号コンポーネントにおける所定数の基本ストリームを合成し、前記合成した基本ストリームのビット長単位を異なるビット長に符号化し、前記所定速度のリンク信号を生成するように機能させるためのプログラム。
【請求項１１】
映像信号送信装置から所定数のリンク信号を受信し、所定数の色信号コンポーネントからなる動画像の映像信号を復元する映像信号受信装置のコンピュータを、
前記映像信号を構成する所定数の色信号コンポーネントのそれぞれに対応して、色信号基本イメージを復元する基本イメージ復元部と、
ソースイメージを復元するソースイメージ復元部と、
基本ストリームを復元する基本ストリーム復元部と、して機能させ、
前記基本ストリーム復元部は、前記リンク信号のビット長単位を所定ビット長に復号し、１本の前記リンク信号から同一または異なる色信号コンポーネントにおける所定数の基本ストリームを復元し、
前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、
前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、
前記復元した所定数の色信号コンポーネントのソースイメージを映像信号として出力するように機能させるプログラム。
【請求項１２】
所定数の色信号コンポーネントからなる動画像の映像信号から、所定速度のリンク信号を生成し、所定数の前記リンク信号を送信する映像信号送信装置のコンピュータを、
前記映像信号を構成する所定数の色信号コンポーネントのそれぞれに対応して、色信号基本イメージを生成する基本イメージ生成部と、
基本ストリームを生成する基本ストリーム生成部と、
リンク信号を生成するリンク信号生成部と、して機能させ、
前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、
前記基本ストリーム生成部は、前記色信号基本イメージ毎に、前記基本イメージ生成部により生成された色信号基本イメージの画素を所定の順序で取り出し、基本ストリームを生成し、
前記リンク信号生成部は、前記基本ストリーム生成部により生成された同一または異なる色信号コンポーネントにおける所定数の基本ストリームを合成し、前記合成した基本ストリームのビット長単位を異なるビット長に符号化し、前記所定速度のリンク信号を生成するように機能させるためのプログラムを記録したコンピュータ読み取り可能な記録媒体。
【請求項１３】
映像信号送信装置から所定数のリンク信号を受信し、所定数の色信号コンポーネントからなる動画像の映像信号を復元する映像信号受信装置のコンピュータを、
前記映像信号を構成する所定数の色信号コンポーネントのそれぞれに対応して、色信号基本イメージを復元する基本イメージ復元部と、
ソースイメージを復元するソースイメージ復元部と、
基本ストリームを復元する基本ストリーム復元部と、して機能させ、
前記基本ストリーム復元部は、前記リンク信号のビット長単位を所定ビット長に復号し、１本の前記リンク信号から同一または異なる色信号コンポーネントにおける所定数の基本ストリームを復元し、
前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、
前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、
前記復元した所定数の色信号コンポーネントのソースイメージを映像信号として出力するように機能させるプログラムを記録したコンピュータ読み取り可能な記録媒体。
【発明の詳細な説明】
【技術分野】
【０００１】
本発明は、テレビジョン等の動画像の映像信号をシリアル伝送するための映像信号送信装置、映像信号受信装置、映像信号送信方法、映像信号受信方法、プログラム及び記録媒体に関し、特に、高精細映像信号の伝送技術に関する。
本願は、２０１２年９月４日に、日本に出願された特願２０１２−１９４５７６号と、２０１３年４月２４日に、日本に出願された特願２０１３−０９１６８９号と、に基づき優先権を主張し、その内容をここに援用する。
【背景技術】
【０００２】
従来、ＨＤＴＶ信号のシリアルデジタルインタフェース（ＨＤ−ＳＤＩ）の規格として、ＳＭＰＴＥ２９２、ＩＴＵ−Ｒ勧告ＢＴ．１１２０、ＡＲＩＢ標準規格ＢＴＡ  Ｓ−００４が知られている。【０００３】
１．５Ｇｂｉｔ／ｓの速度を実現するＨＤ−ＳＤＩ規格は、有効画素数１９２０（水平画素数）×１０８０（垂直ライン数）、毎秒６０フィールド（３０フレーム）、４：２：２形式（輝度信号Ｙと色差信号ＣＢ，ＣＲの画素数比率が４：２：２であり、色差信号ＣＢ，ＣＲは輝度信号Ｙに対して水平方向に２：１にダウンサンプルされている）、１０ビット／画素のＨＤＴＶ信号を前提にした規格である。その後、ＨＤ−ＳＤＩを２本使用することによって、毎秒６０フレームの順次走査信号、４：４：４形式の信号または１２ビット／画素の信号を伝送可能とする規格ＳＭＰＴＥ３７２が作成されている。さらに、１．５Ｇｂｉｔ／ｓのＨＤ−ＳＤＩ信号を２本使用した場合と同様の伝送容量を実現するために、１本の信号により３Ｇｂｉｔ／ｓの速度で伝送可能なＨＤ−ＳＤＩ規格ＳＭＰＴＥ４２４が作成されている。【０００４】
また、１〜８本のＨＤ−ＳＤＩで伝送される映像信号を１本の１０Ｇｂｉｔ／ｓのインタフェースで伝送する規格としてＳＭＰＴＥ４３５−１，４３５−２，４３５−３があるほか、ＨＤＴＶ信号の画素数を水平及び垂直にそれぞれ２倍または４倍に増やしたＵＨＤＴＶ（Ｕｌｔｒａ  Ｈｉｇｈ  Ｄｅｆｉｎｉｔｉｏｎ  Ｔｅｌｅｖｉｓｉｏｎ）信号のシリアルデジタルインタフェースの規格としてＳＭＰＴＥ２０３６−３が知られている。この規格では、画素マッピングを行うことにより、ＵＨＤＴＶ信号を複数のＨＤＴＶ信号相当のサブイメージに分割して複数チャンネルのＨＤ−ＳＤＩ信号で表現し、これを複数の１０Ｇｂｉｔ／ｓのインタフェースで伝送する手法が規定されている。【０００５】
この具体的な手法として、ＵＨＤＴＶ信号におけるフレームの画素を２画素毎に間引くことで、４つのサブイメージにマッピングし、マッピングした画素を８チャンネルのＨＤ−ＳＤＩ信号にマッピングし、スクランブル及び８Ｂ／１０Ｂ符号化処理等を行い、複数の１０Ｇｂｉｔ／ｓのインタフェースを用いて伝送する技術が開示されている（例えば、特許文献１を参照）。これにより、ＨＤ−ＳＤＩ信号の画素数を超えるＵＨＤＴＶ映像信号を、既存の１０Ｇｂｉｔ／ｓのインタフェースで伝送することができる。
【先行技術文献】
【特許文献】
【０００６】
【特許文献１】特許第４６４５６３８号公報
【発明の概要】
【発明が解決しようとする課題】
【０００７】
前述したＵＨＤＴＶ信号のシリアルデジタルインタフェースの規格は、４：２：２形式で１０ビット／画素の信号を伝送するＨＤ−ＳＤＩ規格を前提としている。このため、特許文献１の手法のように、４：４：４形式の信号または１２ビット／画素の信号を伝送する際に、１画素を複数のデータワードに再構成する必要がある。すなわち、映像信号を伝送する際に、映像信号の形式に応じた色信号コンポーネント間のマッピング処理、具体的には、映像信号を構成する複数の色信号コンポーネント間の多重化処理及び色信号コンポーネントの画素をビット毎に組み替える処理が必要になる。【０００８】
また、前述の規格では、ＨＤ−ＳＤＩ信号がフレーム周波数６０Ｈｚまでの映像信号のみに対応しているため、１２０Ｈｚ等の高フレーム周波数の映像信号を扱うことができない。【０００９】
また、ＳＭＰＴＥ２０３６−３の規格では、４：４：４形式、４：２：２形式、４：２：０形式の映像信号に対応しているが、総画素数が少ない４：２：０形式または４：２：２形式の映像信号の場合であっても、４：４：４形式と同じ伝送容量を必要とする。【００１０】
また、ＳＭＰＴＥ２０３６−３の規格では、伝送容量の制約によって、スクランブルと８Ｂ／１０Ｂ符号とを併用し、どちらか一方の処理を行うため、パソロジカル条件に完全には対応できない。【００１１】
そこで、本発明は前記課題を解決するためになされたものであり、その目的は、１画素を複数のデータワードに再構成する必要がなく、総画素数が少ない形式（例えば４：２：２形式、４：２：０形式）の映像信号の場合に伝送容量を低減し、パソロジカル条件に対応することが可能な映像信号送信装置、映像信号受信装置、映像信号送信方法、映像信号受信方法、プログラム及び記録媒体を提供することにある。
【課題を解決するための手段】
【００１２】
（１）  本発明の第１の態様は、所定数の色信号コンポーネントからなる動画像の映像信号から、所定速度のリンク信号を生成し、所定数の前記リンク信号を送信する映像信号送信装置であって、前記映像信号を構成する所定数の色信号コンポーネントのそれぞれに対応して、色信号基本イメージを生成する基本イメージ生成部と、基本ストリームを生成する基本ストリーム生成部と、リンク信号を生成するリンク信号生成部と、を備え、前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、前記基本ストリーム生成部は、前記色信号基本イメージ毎に、前記基本イメージ生成部により生成された色信号基本イメージの画素を所定の順序で取り出し、基本ストリームを生成し、前記リンク信号生成部は、前記基本ストリーム生成部により生成された同一または異なる色信号コンポーネントにおける所定数の基本ストリームを合成し、前記合成した基本ストリームのビット長単位を異なるビット長に符号化し、前記所定速度のリンク信号を生成する映像信号送信装置である。【００１３】
（２）  また、本発明の第１の態様において、前記基本イメージ生成部は、前記色信号コンポーネントのフレームに対し、偶数ライン上で隣り合う画素を、交互に第１の色信号サブイメージと第２の色信号サブイメージとにマッピングすると共に、奇数ライン上で隣り合う画素を、交互に第３の色信号サブイメージと第４の色信号サブイメージとにマッピングし、（ａ）前記マッピングしたそれぞれの色信号サブイメージに対し、偶数ライン上で隣り合う画素を、交互に第１の色信号基本イメージと第２の色信号基本イメージとにマッピングすると共に、奇数ライン上で隣り合う画素を、交互に第３の色信号基本イメージと第４の色信号基本イメージとにマッピングする処理、（ｂ）前記マッピングしたそれぞれの色信号サブイメージを、水平ライン方向及び垂直方向にそれぞれ２等分し、第１、第２、第３及び第４の色信号基本イメージにマッピングする処理、（ｃ）前記マッピングしたそれぞれの色信号サブイメージを、水平ライン方向に４等分し、第１、第２、第３及び第４の色信号基本イメージにマッピングする処理、及び、（ｄ）前記マッピングしたそれぞれの色信号サブイメージを、第１、第２、第３及び第４の色信号基本イメージとして扱う処理のいずれか１つを行ってもよい。【００１４】
（３）  また、本発明の第１の態様において、前記基本イメージ生成部は、さらに、前記４つの色信号基本イメージのうちの２つの色信号基本イメージから、それぞれの画素をフレーム毎に多重化して所定の配置に配列することで、第１の色信号倍速基本イメージにおける第１フレームと第２フレームとを順番に生成し、前記４つの色信号基本イメージのうちの他の２つの色信号基本イメージから、それぞれの画素をフレーム毎に多重化して所定の配置に配列することで、第２の色信号倍速基本イメージにおける第１フレームと第２フレームとを順番に生成し、前記第１及び第２の色信号倍速基本イメージにおける第１フレームを、前記映像信号に対して２倍のフレーム周波数の信号として扱い、前記第１及び第２の色信号倍速基本イメージにおける第２フレームを、前記映像信号に対して２倍のフレーム周波数の信号として扱い、前記基本ストリーム生成部は、前記基本イメージ生成部により生成された色信号倍速基本イメージの画素を所定の順序で取り出し、基本ストリームを生成してもよい。【００１５】
（４）  また、本発明の第１の態様において、前記基本イメージ生成部は、さらに、前記４つの色信号基本イメージのうちの２つの色信号基本イメージから、水平ライン方向の画素をライン毎に多重化して所定の配置に配列することで、第１の色信号倍速基本イメージにおける第１フレームと第２フレームとを順番に生成し、前記４つの色信号基本イメージのうちの他の２つの色信号基本イメージから、水平ライン方向の画素をライン毎に多重化して所定の配置に配列することで、第２の色信号倍速基本イメージにおける第１のフレームと第２フレームとを順番に生成し、前記第１及び第２の色信号倍速基本イメージにおける第１フレームを、前記映像信号に対して２倍のフレーム周波数の信号として扱い、前記第１及び第２の色信号倍速基本イメージにおける第２フレームを、前記映像信号に対して２倍のフレーム周波数の信号として扱い、前記基本ストリーム生成部は、前記基本イメージ生成部により生成された色信号倍速基本イメージの画素を所定の順序で取り出し、基本ストリームを生成してもよい。【００１６】
（５）  また、本発明の第１の態様において、前記基本イメージ生成部は、前記所定数の色信号コンポーネントからなる動画像の映像信号の形式に応じた数の色信号サブイメージを生成してもよい。【００１７】
（６）  また、本発明の第１の態様において、前記動画像の映像信号のフレーム周波数として、２４Ｈｚ、２５Ｈｚ、３０Ｈｚ、５０Ｈｚ、６０Ｈｚ、１２０Ｈｚ、２４×（１０００／１００１）Ｈｚ、３０×（１０００／１００１）Ｈｚ、６０×（１０００／１００１）Ｈｚ、１２０×（１０００／１００１）Ｈｚのいずれかを用いてもよい。【００１８】
（７）  本発明の第２の態様は、映像信号送信装置から所定数のリンク信号を受信し、所定数の色信号コンポーネントからなる動画像の映像信号を復元する映像信号受信装置であって、前記映像信号を構成する所定数の色信号コンポーネントのそれぞれに対応して、色信号基本イメージを復元する基本イメージ復元部と、ソースイメージを復元するソースイメージ復元部と、基本ストリームを復元する基本ストリーム復元部と、を備え、前記基本ストリーム復元部は、前記リンク信号のビット長単位を所定ビット長に復号し、１本の前記リンク信号から同一または異なる色信号コンポーネントにおける所定数の基本ストリームを復元し、前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、前記復元した所定数の色信号コンポーネントのソースイメージを映像信号として出力する映像信号受信装置である。【００１９】
（８）  本発明の第３の態様は、所定数の色信号コンポーネントからなる動画像の映像信号を入力し、前記映像信号から所定速度のリンク信号を生成し、所定数の前記リンク信号を送信する映像信号送信方法であって、前記所定数の色信号コンポーネントからなる動画像の映像信号を入力し、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、前記色信号基本イメージ毎に、前記色信号基本イメージの画素を所定の順序で取り出し、基本ストリームを生成し、同一または異なる色信号コンポーネントにおける所定数の前記基本ストリームを合成し、前記合成した基本ストリームのビット長単位を異なるビット長に符号化し、前記所定速度のリンク信号を生成し、前記生成した所定数のリンク信号を送信する映像信号送信方法である。【００２０】
（９）  本発明の第４の態様は、所定数のリンク信号を受信し、前記リンク信号から、所定数の色信号コンポーネントからなる動画像の映像信号を復元し、前記復元した映像信号を出力する映像信号受信方法であって、前記所定数のリンク信号を受信し、前記リンク信号のビット長単位を所定ビット長に復号し、１本の前記リンク信号から同一または異なる色信号コンポーネントにおける所定数の基本ストリームを復元し、前記基本ストリーム毎に、前記基本ストリームから前記映像信号のデータを抽出し、前記抽出したデータを画素として所定の順序で配列し、色信号基本イメージを復元し、同一の色信号コンポーネントにおける所定数の前記色信号サブイメージの画素を所定の順序で多重化し、色信号ソースイメージを復元し、前記復元した所定数の色信号ソースイメージを、前記所定数の色信号コンポーネントからなる動画像の映像信号として出力する映像信号受信方法である。【００２１】
（１０）  本発明の第５の態様は、所定数の色信号コンポーネントからなる動画像の映像信号から、所定速度のリンク信号を生成し、所定数の前記リンク信号を送信する映像信号送信装置のコンピュータを、前記映像信号を構成する所定数の色信号コンポーネントのそれぞれに対応して、色信号基本イメージを生成する基本イメージ生成部と、基本ストリームを生成する基本ストリーム生成部と、リンク信号を生成するリンク信号生成部と、して機能させ、前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、前記基本ストリーム生成部は、前記色信号基本イメージ毎に、前記基本イメージ生成部により生成された色信号基本イメージの画素を所定の順序で取り出し、基本ストリームを生成し、前記リンク信号生成部は、前記基本ストリーム生成部により生成された同一または異なる色信号コンポーネントにおける所定数の基本ストリームを合成し、前記合成した基本ストリームのビット長単位を異なるビット長に符号化し、前記所定速度のリンク信号を生成するように機能させるためのプログラムである。【００２２】
（１１）  本発明の第６の態様は、映像信号送信装置から所定数のリンク信号を受信し、所定数の色信号コンポーネントからなる動画像の映像信号を復元する映像信号受信装置のコンピュータを、前記映像信号を構成する所定数の色信号コンポーネントのそれぞれに対応して、色信号基本イメージを復元する基本イメージ復元部と、ソースイメージを復元するソースイメージ復元部と、基本ストリームを復元する基本ストリーム復元部と、して機能させ、前記基本ストリーム復元部は、前記リンク信号のビット長単位を所定ビット長に復号し、１本の前記リンク信号から同一または異なる色信号コンポーネントにおける所定数の基本ストリームを復元し、前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、前記復元した所定数の色信号コンポーネントのソースイメージを映像信号として出力するように機能させるプログラムである。【００２３】
（１２）  本発明の第７の態様は、所定数の色信号コンポーネントからなる動画像の映像信号から、所定速度のリンク信号を生成し、所定数の前記リンク信号を送信する映像信号送信装置のコンピュータを、前記映像信号を構成する所定数の色信号コンポーネントのそれぞれに対応して、色信号基本イメージを生成する基本イメージ生成部と、基本ストリームを生成する基本ストリーム生成部と、リンク信号を生成するリンク信号生成部と、して機能させ、前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、前記基本ストリーム生成部は、前記色信号基本イメージ毎に、前記基本イメージ生成部により生成された色信号基本イメージの画素を所定の順序で取り出し、基本ストリームを生成し、前記リンク信号生成部は、前記基本ストリーム生成部により生成された同一または異なる色信号コンポーネントにおける所定数の基本ストリームを合成し、前記合成した基本ストリームのビット長単位を異なるビット長に符号化し、前記所定速度のリンク信号を生成するように機能させるためのプログラムを記録したコンピュータ読み取り可能な記録媒体である。【００２４】
（１３）  本発明の第８の態様は、映像信号送信装置から所定数のリンク信号を受信し、所定数の色信号コンポーネントからなる動画像の映像信号を復元する映像信号受信装置のコンピュータを、前記映像信号を構成する所定数の色信号コンポーネントのそれぞれに対応して、色信号基本イメージを復元する基本イメージ復元部と、ソースイメージを復元するソースイメージ復元部と、基本ストリームを復元する基本ストリーム復元部と、して機能させ、前記基本ストリーム復元部は、前記リンク信号のビット長単位を所定ビット長に復号し、１本の前記リンク信号から同一または異なる色信号コンポーネントにおける所定数の基本ストリームを復元し、前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、前記復元した所定数の色信号コンポーネントのソースイメージを映像信号として出力するように機能させるプログラムを記録したコンピュータ読み取り可能な記録媒体である。
【発明の効果】
【００２５】
以上のように、本発明のいくつかの態様によれば、１画素を複数のデータワードに再構成する必要がなく、総画素数が少ない形式（例えば４：２：２形式、４：２：０形式）の映像信号の場合に伝送容量を低減し、パソロジカル条件に対応することが可能となる。
【図面の簡単な説明】
【００２６】
【図１】本発明の第１の実施形態による映像信号送信装置及び映像信号受信装置を含む伝送システムの概略構成を示すブロック図である。
【図２】映像信号送信装置の構成を示すブロック図である。
【図３】映像信号送信装置の処理を示すフローチャートである。
【図４】映像信号のソースイメージが８ｋ×４ｋの画素からなり、１２０Ｈｚのフレーム周波数で動作する場合のマッピング手順を説明する図である。
【図５】映像信号のソースイメージが８ｋ×４ｋの画素からなり、６０Ｈｚのフレーム周波数で動作する場合のマッピング手順を説明する図である。
【図６】サブイメージ生成部の処理を説明する図である。
【図７】サブイメージ生成部による色信号コンポーネント毎の処理を説明する図である。
【図８Ａ】４：２：２形式の映像信号の色信号コンポーネントＹに対するサブイメージ生成部の処理を説明する図である。
【図８Ｂ】４：２：２形式の映像信号の色信号コンポーネントＣＢに対するサブイメージ生成部の処理を説明する図である。
【図８Ｃ】４：２：２形式の映像信号の色信号コンポーネントＣＲに対するサブイメージ生成部の処理を説明する図である。
【図９】８ｋ×４ｋのソースイメージに対する４ｋ×２ｋのサブイメージの数及び構成を示す図である。
【図１０】基本イメージ生成部による第１の処理を説明する図である。
【図１１】基本イメージ生成部による第２の処理を説明する図である。
【図１２】基本イメージ生成部による第３の処理を説明する図である。
【図１３Ａ】第３の処理におけるライン毎の多重化処理を説明する図である。
【図１３Ｂ】第３の処理における画素毎の多重化処理を説明する図である。
【図１４Ａ】基本イメージ生成部による第１の倍速化処理を説明する第１の図である。
【図１４Ｂ】基本イメージ生成部による第１の倍速化処理を説明する第２の図である。
【図１４Ｃ】基本イメージ生成部による第１の倍速化処理を説明する第３の図である。
【図１５】基本イメージ生成部による第２の倍速化処理を説明する図である。
【図１６Ａ】基本イメージ生成部による第２の倍速化処理の詳細を説明する第１の図である。
【図１６Ｂ】基本イメージ生成部による第２の倍速化処理の詳細を説明する第２の図である。
【図１６Ｃ】基本イメージ生成部による第２の倍速化処理の詳細を説明する第３の図である。
【図１７Ａ】基本ストリーム生成部の処理を説明する第１の図である。
【図１７Ｂ】基本ストリーム生成部の処理を説明する第２の図である。
【図１８】リンク信号生成部の処理を説明する図である。
【図１９】リンク信号生成部の処理の詳細を説明する図である。
【図２０】８ｋ×４ｋ映像の場合のリンク信号の数を示す図である。
【図２１】映像信号のソースイメージが４ｋ×２ｋの画素からなり、１２０Ｈｚのフレーム周波数で動作する場合のマッピング手順を説明する図である。
【図２２】映像信号のソースイメージが４ｋ×２ｋの画素からなり、６０Ｈｚのフレーム周波数で動作する場合のマッピング手順を説明する図である。
【図２３】４ｋ×２ｋのソースイメージに対する２ｋ×１ｋの基本イメージの数及び構成を示す図である。
【図２４】４ｋ×２ｋ映像の場合のリンク信号の数を示す図である。
【図２５】映像信号受信装置の構成を示すブロック図である。
【図２６】映像信号受信装置の処理を示すフローチャートである。
【図２７】本発明の第２の実施形態による映像信号送信装置の処理を示すフローチャートである。
【図２８】第２の実施形態において、映像信号のソースイメージが８ｋ×４ｋの画素からなり、６０Ｈｚのフレーム周波数で動作する場合のマッピング手順を説明する図である。
【図２９】第２の実施形態におけるリンク信号生成部の処理を説明する図である。
【図３０】第２の実施形態におけるリンク信号生成部の処理の詳細を説明する図である。
【図３１】第２の実施形態において、映像信号のソースイメージが４ｋ×２ｋの画素からなり、６０Ｈｚのフレーム周波数で動作する場合のマッピング手順を説明する図である。
【図３２】第３の実施形態において、映像信号のソースイメージが８ｋ×４ｋの画素からなり、５０Ｈｚのフレーム周波数で動作する場合のマッピング手順を説明する図である。
【図３３】第３の実施形態による基本ストリーム生成部の処理を説明する図である。
【図３４】第３の実施形態におけるリンク信号生成部の処理を説明する図である。
【図３５】第４の実施形態において、映像信号のソースイメージが８ｋ×４ｋの画素からなり、３０Ｈｚのフレーム周波数で動作する場合のマッピング手順を説明する図である。
【図３６】第４の実施形態による基本ストリーム生成部の処理を説明する図である。
【図３７】第４の実施形態におけるリンク信号生成部の処理を説明する図である。
【図３８】第４の実施形態の第１の変形例による基本ストリーム生成部の処理を説明する図である。
【図３９】第４の実施形態の第１の変形例におけるリンク信号生成部の処理を説明する図である。
【図４０】第４の実施形態の第２の変形例による基本ストリーム生成部の処理を説明する図である。
【図４１】第４の実施形態の第２の変形例におけるリンク信号生成部の処理を説明する図である。
【図４２】第６の実施形態において、映像信号のソースイメージが４ｋ×２ｋの画素からなり、３０Ｈｚのフレーム周波数で動作する場合のマッピング手順を説明する図である。
【発明を実施するための形態】
【００２７】
以下、本発明を実施するための形態について図面を用いて詳細に説明する。
〔伝送システム〕
まず、本発明の第１の実施形態による映像信号送信装置及び映像信号受信装置を含む伝送システム１００について説明する。図１は、伝送システム１００の概略構成を示すブロック図である。この伝送システム１００は、映像信号送信装置１及び映像信号受信装置２を備えて構成される。映像信号送信装置１は、例えば、カメラ等からの映像信号を入力してリンク信号を生成し、映像信号受信装置２は、リンク信号を入力して映像信号を復元し、ディスプレイ等に出力する。映像信号送信装置１と映像信号受信装置２とは伝送路３を介して接続される。
【００２８】
映像信号送信装置１は、１以上の色信号コンポーネントからなる動画像の映像信号を入力し、映像信号を構成する１以上の色信号コンポーネントについて、色信号コンポーネント毎に、所定数のサブイメージ（色信号サブイメージ）、基本イメージ（色信号基本イメージ）、基本ストリームを生成する。そして、映像信号送信装置１は、基本ストリームから所定速度のリンク信号を生成し、映像信号を、所定伝送速度の所定数のリンク信号として映像信号受信装置２へ送信する。ここで、色信号コンポーネントとは、赤・緑・青の三原色信号ＲＧＢ、輝度・色差信号ＹＣＢＣＲ、アルファチャンネル信号Ａ等の各信号コンポーネントをいう。
【００２９】
映像信号受信装置２は、映像信号送信装置１から、映像信号を所定伝送速度の所定数のリンク信号として受信する。そして、映像信号受信装置２は、映像信号送信装置１に対して逆の処理を行い、映像信号を構成する複数の色信号コンポーネントについて、色信号コンポーネント毎に、所定数の基本ストリーム、基本イメージ、サブイメージ及びソースイメージを生成し、映像信号を復元する。
【００３０】
〔映像信号送信装置〕
次に、図１に示した映像信号送信装置１について詳細に説明する。図２は、映像信号送信装置１の構成を示すブロック図であり、図３は、映像信号送信装置１の処理を説明するフローチャートである。この映像信号送信装置１は、サブイメージ生成部１１、基本イメージ生成部１２、基本ストリーム生成部１３及びリンク信号生成部１４を備えている。
【００３１】
映像信号送信装置１が１以上の色信号コンポーネントからなる動画像の映像信号を入力すると（ステップＳ３０１）、サブイメージ生成部１１は、映像信号を構成する色信号コンポーネント毎に、１フレームのソースイメージを分割して複数のサブイメージを生成し、色信号コンポーネント毎に生成した複数のサブイメージを基本イメージ生成部１２に出力する（ステップＳ３０２）。具体的には、サブイメージ生成部１１は、色信号コンポーネントのソースイメージを構成する画素を２次元的に均等間隔で取り出し、取り出した画素が所定の配置になるように、２次元的に配列した複数のサブイメージを生成する。生成された複数のサブイメージは、色信号コンポーネントに対応したものとなり、以降、色信号コンポーネントのサブイメージ毎に処理が行われる。
【００３２】
例えば、映像信号が４：４：４の信号形式であり、ＲＧＢの３つの色信号コンポーネントにより構成されている場合、サブイメージ生成部１１は、Ｒの色信号コンポーネントのソースイメージを構成する画素を、２次元的に４画素毎に取り出し、４つのサブイメージを生成する。同様に、サブイメージ生成部１１は、Ｇ，Ｂの色信号コンポーネントのソースイメージを構成する画素を、２次元的に４画素毎に取り出し、４つのサブイメージをそれぞれ生成する。これにより、３つのソースイメージから１２のサブイメージが生成される。詳細については後述する。
【００３３】
基本イメージ生成部１２は、サブイメージ生成部１１により生成された色信号コンポーネント毎の複数のサブイメージを入力し、サブイメージ毎に、当該サブイメージを分割して複数の基本イメージを生成し、生成した複数の基本イメージを基本ストリーム生成部１３に出力する（ステップＳ３０３）。具体的には、基本イメージ生成部１２は、サブイメージを構成する画素を所定位置から取り出し、取り出した画素が所定の配置になるように、２次元的に配列した複数の基本イメージを生成する。尚、基本イメージ生成部１２は、フレーム周波数の倍速化処理を行う場合、生成した複数の基本イメージに倍速化処理を施して複数の倍速基本イメージを生成し、生成した複数の倍速基本イメージを基本ストリーム生成部１３に出力する。
【００３４】
基本ストリーム生成部１３は、基本イメージ生成部１２により生成された基本イメージ（または倍速基本イメージ）から画素のラインデータを順次取り出し、取り出した画素のラインデータに制御データを付加し、１ワードを所定ビット数とした１ラインあたり所定ワード長の基本ストリームを生成する（ステップＳ３０４）。
【００３５】
リンク信号生成部１４は、基本ストリーム生成部１３により生成された基本ストリーム（２つの異なる基本イメージからそれぞれ生成された２本の異なる基本ストリーム）に対して多重化処理（合成処理）を施し、バイト化による整列処理及び８Ｂ／１０Ｂ符号化処理を施し、所定伝送速度のリンク信号を生成する（ステップＳ３０５）。そして、映像信号送信装置１は、リンク信号生成部１４により生成された所定伝送速度の所定数のリンク信号を出力する（ステップＳ３０６）。このように、映像信号送信装置１は、複数の色信号コンポーネントからなる動画像の映像信号を、所定伝送速度の所定数のリンク信号として送信する。
【００３６】
〔ソースイメージからリンク信号へのマッピング手順〕
次に、図２に示した映像信号送信装置１が映像信号のソースイメージからサブイメージを生成し、基本イメージ（または倍速基本イメージ）、基本ストリーム及びリンク信号をそれぞれ生成する際のマッピング手順について説明する。以下に説明するマッピング手順は、映像信号のソースイメージが１２０Ｈｚまたは６０Ｈｚのフレーム周波数で動作する場合に、１２０Ｈｚのフレーム周波数で動作する基本イメージを生成し、１０．６９２Ｇｂｉｔ／ｓのリンク信号を生成する手順を示している。
【００３７】
図４は、映像信号のソースイメージが８ｋ（水平画素数）×４ｋ（垂直ライン数）の画素からなり、１２０Ｈｚのフレーム周波数で動作する場合のマッピング手順を説明する図である。映像信号を構成する色信号コンポーネントＣ１，Ｃ２，Ｃ３において、その１フレームのソースイメージは、８ｋ×４ｋの画素からなり、１２０Ｈｚ（毎秒１２０フレーム）のフレーム周波数で動作する場合を想定する。色信号コンポーネント（Ｃ１，Ｃ２，Ｃ３）は、（Ｇ，Ｂ，Ｒ）、（Ｙ，ＣＢ，ＣＲ）、（α，−，−）のいずれかである。尚、図４に示すＮについては、後述する図９にて詳細に説明する。図５についても同様である。
【００３８】
図４に示すように、ソースイメージから、サブイメージ生成部１１におけるステップＳ３０２の処理により、Ｎ個のサブイメージが生成され、このサブイメージは、４ｋ×２ｋの画素からなり、１２０Ｈｚのフレーム周波数で動作する。そして、サブイメージから、基本イメージ生成部１２におけるステップＳ３０３の処理により、４つの基本イメージが生成され、この基本イメージは、２ｋ×１ｋの画素からなり、１２０Ｈｚのフレーム周波数で動作する。つまり、Ｎ個のサブイメージから、合計４Ｎ個の基本イメージが生成される。
【００３９】
基本イメージから、基本ストリーム生成部１３によるステップＳ３０４の処理により、基本ストリームが生成される。つまり、４Ｎ個の基本イメージから、対応する４Ｎ個の基本ストリームが生成される。そして、２系統の基本ストリームから、リンク信号生成部１４によるステップＳ３０５の処理により、１本のリンク信号が生成され、このリンク信号は、１０．６９２Ｇｂｉｔ／ｓの速度にて伝送される。つまり、４Ｎ系統の基本ストリームから２Ｎ本のリンク信号が生成される。
【００４０】
図５は、映像信号のソースイメージが８ｋ×４ｋの画素からなり、６０Ｈｚのフレーム周波数で動作する場合のマッピング手順を説明する図である。映像信号を構成する色信号コンポーネントＣ１，Ｃ２，Ｃ３において、その１フレームのソースイメージは、８ｋ×４ｋの画素からなり、６０Ｈｚ（毎秒６０フレーム）のフレーム周波数で動作する場合を想定する。
【００４１】
図５に示すように、ソースイメージから、サブイメージ生成部１１におけるステップＳ３０２の処理により、Ｎ個のサブイメージが生成され、このサブイメージは、４ｋ×２ｋの画素からなり、６０Ｈｚのフレーム周波数で動作する。そして、サブイメージから、基本イメージ生成部１２におけるステップＳ３０３の処理により、２ｋ×１ｋの画素からなり、６０Ｈｚのフレーム周波数で動作する４つの基本イメージが生成され、そして、６０Ｈｚのフレーム周波数で動作する２つの基本イメージから、２ｋ×１ｋの画素からなり、１２０Ｈｚのフレーム周波数で動作する１つの倍速基本イメージが生成される。この場合、６０Ｈｚのフレーム周波数で動作する２つの基本イメージは、１２０Ｈｚのフレーム周波数で動作する１つの倍速基本イメージの連続する２つのフレームを構成するようにマッピングされる。つまり、６０Ｈｚのフレーム周波数で動作する４Ｎ個の基本イメージから、１２０Ｈｚのフレーム周波数で動作する２Ｎ個の倍速基本イメージが生成される。詳細については、後述する図１４Ａ〜図１６Ｃにて説明する。
【００４２】
基本イメージから、基本ストリーム生成部１３によるステップＳ３０４の処理により、基本ストリームが生成される。つまり、２Ｎ個の倍速基本イメージから、対応する２Ｎ個の基本ストリームが生成される。そして、２系統の基本ストリームから、リンク信号生成部１４によるステップＳ３０５の処理により、１本のリンク信号が生成され、このリンク信号は、１０．６９２Ｇｂｉｔ／ｓの速度にて伝送される。つまり、２Ｎ系統の基本ストリームからＮ本のリンク信号が生成される。
【００４３】
〔サブイメージ生成部〕
次に、図２に示したサブイメージ生成部１１について詳細に説明する。前述のとおり、サブイメージ生成部１１は、映像信号を構成する色信号コンポーネント毎に、１フレームのソースイメージを分割して複数のサブイメージを生成する。すなわち、サブイメージ生成部１１は、色信号コンポーネントのソースイメージを構成する画素を２次元的に均等間隔で取り出し、取り出した画素が所定の配置になるように、２次元的に配列した複数のサブイメージを生成する。以下の説明では、ソースイメージを構成する画素は、１２ビットで構成されているものとする。
【００４４】
図６は、サブイメージ生成部１１の処理（図３に示したステップＳ３０２）を説明する図である。映像信号を構成するそれぞれの色信号コンポーネントのソースイメージにおいて、４画素からなる２次元の正方領域内の左上の画素に１が付番され、右上の画素に２が付番され、左下の画素に３が付番され、右下の画素に４が付番されている。サブイメージ生成部１１は、色信号コンポーネントのソースイメージにおける４画素からなる２次元の正方領域毎に、番号１〜４の画素をそれぞれ取り出し、同じ番号の画素をそのままの配置で２次元的に配列し、４つのサブイメージを生成する。具体的には、サブイメージ生成部１１は、ソースイメージの正方領域毎に番号１の画素を取り出し、サブイメージ１を生成する。同様に、サブイメージ生成部１１は、ソースイメージの正方領域毎に番号２〜４の画素をそれぞれ取り出し、サブイメージ２〜４を生成する。すなわち、サブイメージ生成部１１は、ソースイメージの偶数ライン（ライン０，２，・・・）上で隣り合うサンプル（番号１，２のサンプル）を、交互にサブイメージ１とサブイメージ２とにマッピングし、奇数ライン（ライン１，３，・・・）上で隣り合うサンプル（番号３，４）を、交互にサブイメージ３とサブイメージ４とにマッピングする。
【００４５】
図７は、サブイメージ生成部１１による色信号コンポーネント毎の処理（図３のステップＳ３０２）を説明する図である。サブイメージ生成部１１は、図６に示した処理を、映像信号を構成する３つの色信号コンポーネントのソースイメージに対してそれぞれ行い、１つの色信号コンポーネントのソースイメージに対して４つのサブイメージを生成し、合計１２のサブイメージを生成する。尚、図６及び図７では、１つのソースイメージから４つのサブイメージを生成する例を示したが、生成されるサブイメージの数は、色信号コンポーネントの種類と信号形式によって異なる。
【００４６】
図８Ａ〜図８Ｃは、４：２：２形式の映像信号に対するサブイメージ生成部１１の処理（図３のステップＳ３０２）を説明する図である。４：２：２形式の映像信号は、輝度情報の色信号コンポーネントＹと、Ｂ（青）の色差情報の色信号コンポーネントＣＢと、Ｒ（赤）の色差情報の色信号コンポーネントＣＲとの間の画素数比率が４：２：２の信号である。
【００４７】
輝度情報の色信号コンポーネントＹにおけるソースイメージは、図６に示した番号１〜４の全ての画素位置にデータが存在する（図８Ａに示す輝度情報の色信号コンポーネントＹにおけるソースイメージの斜線部分を参照）。したがって、図８Ａに示すように、輝度情報の色信号コンポーネントＹにおけるソースイメージから、４つのサブイメージ１〜４（Ｙ１〜Ｙ４）が生成される。また、Ｂの色差情報の色信号コンポーネントＣＢにおけるソースイメージは、図６に示した番号１〜４の画素位置のうち番号１，３の画素位置のみにデータが存在する（図８Ｂに示すＢの色差情報の色信号コンポーネントＣＢにおけるソースイメージの斜線部分を参照）。したがって、図８Ｂに示すように、Ｂの色差情報の色信号コンポーネントＣＢにおけるソースイメージから、２つのサブイメージ１，３（ＣＢ１，ＣＢ３）が生成される。また、Ｒの色差情報の色信号コンポーネントＣＲにおけるソースイメージは、Ｂの色差情報の色信号コンポーネントＣＢにおけるソースイメージと同様に、図６に示した番号１〜４の画素位置のうち番号１，３の画素位置のみにデータが存在する（図８Ｃに示すＲの色差情報の色信号コンポーネントＣＲにおけるソースイメージの斜線部分を参照）。したがって、図８Ｃに示すように、Ｒの色差情報の色信号コンポーネントＣＲにおけるソースイメージから、２つのサブイメージ１，３（ＣＲ１，ＣＲ３）が生成される。
【００４８】
このように、４：２：２形式の映像信号の場合、サブイメージ生成部１１は、映像信号を構成する輝度情報の色信号コンポーネントＹにおける１フレームのソースイメージから、４つのサブイメージを生成し、Ｂの色差情報の色信号コンポーネントＣＢにおけるソースイメージから、２つのサブイメージを生成し、Ｒの色差情報の色信号コンポーネントＣＲにおけるソースイメージから、２つのサブイメージを生成する。つまり、４：２：２形式の映像信号を構成する３種の色信号コンポーネントＹ，ＣＢ，ＣＲのソースイメージから、合計８つのサブイメージが生成される。
【００４９】
図９は、色信号コンポーネントの種類と信号形式に応じた、８ｋ×４ｋのソースイメージに対する４ｋ×２ｋのサブイメージの数及び構成を示す図である。図９において、サブイメージの数Ｎは、映像信号を構成する全ての色信号コンポーネントのソースイメージから生成されるサブイメージの合計数を示す。また、サブイメージの構成における「Ｇ」は緑の要素、「Ｂ」は青の要素、「Ｒ」は赤の要素をそれぞれ示し、「Ｙ」は輝度、「ＣＢ」は青の色差、「ＣＲ」は赤の色差をそれぞれ示す。例えば、映像信号が４：４：４形式の場合、３種の色信号コンポーネントＲ，Ｇ，Ｂのソースイメージから、それぞれ４つのサブイメージが生成され、合計１２のサブイメージが生成される。また、映像信号が４：２：０形式の場合、３種の色信号コンポーネントＹ，ＣＢ，ＣＲのソースイメージから、それぞれ４つ、１つ及び１つのサブイメージが生成され、合計６つのサブイメージが生成される。
【００５０】
〔基本イメージ生成部〕
次に、図２に示した基本イメージ生成部１２について詳細に説明する。前述のとおり、基本イメージ生成部１２は、サブイメージを分割して複数の基本イメージを生成する。すなわち、基本イメージ生成部１２は、サブイメージを構成する画素を所定位置から取り出し、取り出した画素が所定の配置になるように、２次元的に配列した複数の基本イメージを生成する。
【００５１】
図１０は、基本イメージ生成部１２による第１の処理（図３に示したステップＳ３０３）を説明する図である。サブイメージにおいて、４画素からなる２次元の正方領域内の左上の画素に１が付番され、右上の画素に２が付番され、左下の画素に３が付番され、右下の画素に４が付番されている。基本イメージ生成部１２は、第１の処理として、サブイメージにおける４画素からなる２次元の正方領域毎に、番号１〜４の画素をそれぞれ取り出し、同じ番号の画素をそのままの配置で２次元的に配列し、４つの基本イメージを生成する。具体的には、基本イメージ生成部１２は、サブイメージの正方領域毎に番号１の画素を取り出し、基本イメージ１を生成する。同様に、基本イメージ生成部１２は、サブイメージの正方領域毎に番号２〜４の画素をそれぞれ取り出し、基本イメージ２〜４をそれぞれ生成する。すなわち、基本イメージ生成部１２は、サブイメージの偶数ライン（ライン０，２，・・・）上で隣り合うサンプル（番号１，２のサンプル）を、交互に基本イメージ１と基本イメージ２とにマッピングし、奇数ライン（ライン１，３，・・・）上で隣り合うサンプル（番号３，４）を、交互に基本イメージ３と基本イメージ４とにマッピングする。この第１の処理によれば、４画素からなる２次元の正方領域毎に画素を取り出すようにしたから、マッピング処理を簡易に実現することができ、マッピング処理の遅延時間を小さくすることができる。
【００５２】
図１１は、基本イメージ生成部１２による第２の処理（図３に示したステップＳ３０３）を説明する図である。サブイメージを、水平及び垂直方向にそれぞれ均等に４つの２次元の領域に分割した場合を想定し、左上の領域の画素群に１が付番され、右上の領域の画素群に２が付番され、左下の領域の画素群に３が付番され、右下の領域の画素群に４が付番されている。基本イメージ生成部１２は、第２の処理として、サブイメージを番号１〜４の画素群の領域に分割し、それぞれの領域を取り出し、それぞれの領域を４つの基本イメージ１〜４として生成する。すなわち、基本イメージ生成部１２は、サブイメージに対し、空間的に縦横方向（水平及び垂直方向）にそれぞれ２等分し、基本イメージ１〜４にマッピングする。この第２の処理によれば、高精細映像用の装置を、複数の低解像度映像用の装置の組み合わせにより構成する場合に都合が良い。つまり、高精細映像用の装置を用いることなく、複数の低解像度映像用の装置を用いて当該処理を実現することができる。
【００５３】
図１２は、基本イメージ生成部１２による第３の処理（図３に示したステップＳ３０３）を説明する図である。サブイメージを、水平方向に均等に４つの２次元の領域に分割した場合を想定し、左端の領域の画素群に１が付番され、中央左の領域の画素群に２が付番され、中央右の領域の画素群に３が付番され、右端の領域の画素群に４が付番されている。基本イメージ生成部１２は、第３の処理として、サブイメージを番号１〜４の画素群の領域に分割し、それぞれの領域を取り出し、それぞれの領域について多重化処理を施し４つの基本イメージ１〜４を生成する。このとき、分割されたサブイメージの各領域の水平画素数が基本イメージの水平画素数の１／２倍、分割されたサブイメージの各領域の垂直ライン数が基本イメージの垂直ライン数の２倍になっているため、分割されたサブイメージの各領域の２ライン分を基本イメージの１ラインにマッピングする。この第３の処理によれば、高精細映像の信号処理を低速の並列処理によって行う場合に都合が良い。
【００５４】
図１３Ａは、図１２に示した基本イメージ生成部１２による第３の処理において、ライン毎の多重化処理を説明する図である。基本イメージ生成部１２は、分割したサブイメージの各領域について、分割領域の第１ラインを基本イメージの第１ラインの左半分に、分割領域の第２ラインを基本イメージの第１ラインの右半分にマッピングする。図１３Ｂは、図１２に示した基本イメージ生成部１２による第３の処理において、画素毎の多重化処理を説明する図である。基本イメージ生成部１２は、分割したサブイメージの各領域について、分割領域の第１ラインと第２ラインの画素を交互に基本イメージの第１ラインにマッピングする。すなわち、基本イメージ生成部１２は、サブイメージに対し、空間的に横方向（水平方向）に４等分し、基本イメージ１〜４にマッピングする。
【００５５】
図１４Ａ〜図１４Ｃは、基本イメージ生成部１２による第１の倍速化処理（図３に示したステップＳ３０３）を説明する図である。尚、基本イメージ生成部１２は、生成した基本イメージのフレーム周波数を倍速化しない場合には、以下に示す倍速化処理を行わず、図１０に示した第１の処理、図１１に示した第２の処理または図１２に示した第３の処理のみを行う。この倍速化処理は、例えば、ソースイメージのフレーム周波数が６０Ｈｚの場合、基本イメージ生成部１２が生成したフレーム周波数６０Ｈｚの基本イメージを、フレーム周波数１２０Ｈｚに倍速化する処理を示している。ソースイメージのフレーム周波数が６０Ｈｚである場合に、基本イメージ生成部１２は、図１０に示した第１の処理、図１１に示した第２の処理または図１２に示した第３の処理により生成したフレーム周波数６０Ｈｚで動作する基本イメージ１及び基本イメージ２に対し、倍速化処理によってフレーム毎の多重化処理（合成処理）を行い、１２０Ｈｚのフレーム周波数にて動作する倍速基本イメージを生成する。すなわち、基本イメージ１の第１フレームと基本イメージ２の第１フレームが、倍速基本イメージ１の第１フレームと第２フレームにそれぞれ多重化され、基本イメージ１の第２フレームと基本イメージ２の第２フレームが、倍速基本イメージ１の第３フレームと第４フレームにそれぞれ多重化されるように、２つの基本イメージ１，２のフレームが、１つの倍速基本イメージ１の連続する２つのフレームに多重化される。同様に、基本イメージ３のフレームと基本イメージ４のフレームが、倍速基本イメージ２の連続する２つのフレームに多重化される。
【００５６】
すなわち、ソースイメージのフレーム周波数が６０Ｈｚの場合、基本イメージ生成部１２は、図１０に示した第１の処理、図１１に示した第２の処理または図１２に示した第３の処理によってフレーム周波数６０Ｈｚの基本イメージ１，２，３，４を生成した後に、２つの基本イメージのフレームを、フレーム周波数１２０Ｈｚで動作する倍速基本イメージのフレームに交互に多重化することで、当該映像信号送信装置１が入力した映像信号に対して２倍のフレーム周波数の倍速基本イメージとして扱う。例えば、当該映像信号送信装置１が入力した映像信号のフレーム周波数が６０Ｈｚの場合、基本イメージ生成部１２は、フレーム周波数が１２０Ｈｚの倍速基本イメージとして扱う。
【００５７】
図１５は、基本イメージ生成部１２による第２の倍速化処理（図３に示したステップＳ３０３）を説明する図であり、図１６Ａ〜図１６Ｃは、その詳細を説明する図である。第２の倍速化処理は、図１４Ａ〜図１４Ｃに示した第１の倍速化処理と同様に、基本イメージのフレーム周波数を倍速化しない場合には、以下に示す倍速化処理を行わず、図１０に示した第１の処理、図１１に示した第２の処理または図１２に示した第３の処理のみが行われる。図１５及び図１６Ａ〜図１６Ｃは、ソースイメージのフレーム周波数が６０Ｈｚの場合、基本イメージ生成部１２が生成したフレーム周波数６０Ｈｚの基本イメージを、フレーム周波数１２０Ｈｚに倍速化する処理を示している。ソースイメージのフレーム周波数が６０Ｈｚである場合に、基本イメージ生成部１２は、図１０に示した第１の処理、図１１に示した第２の処理または図１２に示した第３の処理により生成したフレーム周波数６０Ｈｚで動作する２つの基本イメージに対し、倍速化処理によってライン毎の多重化処理（合成処理）を行い、１２０Ｈｚのフレーム周波数にて動作する倍速基本イメージを生成する。
【００５８】
基本イメージ生成部１２の第１の処理、第２の処理または第３の処理により生成されたフレーム周波数６０Ｈｚの基本イメージ１において、偶数番(０，２，…,１０７８)のラインの画素に１が付番され、奇数番（１、３，…, １０７９）のラインの画素に２が付番されており、基本イメージ２において、偶数番のラインの画素に３が付番され、奇数番のラインの画素に４が付番されている。基本イメージ生成部１２は、第２の倍速化処理として、フレーム周波数６０Ｈｚの２つの基本イメージ１，２を垂直方向に均等の２領域（上半分の領域及び下半分の領域）に分割し、２つの基本イメージ１，２における上半分の領域をライン毎に多重化（合成）して倍速基本イメージ１の第１フレームを生成する。そして、基本イメージ生成部１２は、２つの基本イメージ１，２における下半分の領域をライン毎に多重化して倍速基本イメージ１の第２フレームを生成する。同様に、基本イメージ生成部１２は、２つの基本イメージ３，４を垂直方向に均等の２領域（上半分の領域及び下半分の領域）に分割し、２つの基本イメージ３，４における上半分の領域をライン毎に多重化して倍速基本イメージ２の第１フレームを生成する。そして、基本イメージ生成部１２は、２つの基本イメージ３，４における下半分の領域をライン毎に多重化して倍速基本イメージ２の第２フレームを生成する。
【００５９】
すなわち、ソースイメージのフレーム周波数が６０Ｈｚの場合、基本イメージ生成部１２は、図１０に示した第１の処理、図１１に示した第２の処理または図１２に示した第３の処理によってフレーム周波数６０Ｈｚの基本イメージを生成した後に、２つの基本イメージのラインを交互に抽出して所定の配置に配列することで、フレーム周波数１２０Ｈｚで動作する倍速基本イメージにマッピングすると共に、他の２つの基本イメージのラインを交互に抽出して所定の配置に配列することで、倍速基本イメージにマッピングし、倍速基本イメージを、当該映像信号送信装置１が入力した映像信号に対して２倍のフレーム周波数の信号として扱う。例えば、当該映像信号送信装置１が入力した映像信号のフレーム周波数が６０Ｈｚの場合、基本イメージ生成部１２は、倍速基本イメージをそれぞれフレーム周波数が１２０Ｈｚの信号として扱う。この場合、基本イメージ１，２のライン０〜１０７９がそれぞれ同時に１／６０秒で走査されているから、基本イメージ１のライン０〜５３９及び基本イメージ２のライン０〜５３９は、それぞれ１／１２０秒で走査され、これらをライン毎に多重化した倍速基本イメージ１の第１フレームは、１／１２０秒の信号となる。同様に、基本イメージ１のライン５４０〜１０７９及び基本イメージ２のライン５４０〜１０７９をライン毎に多重化した倍速基本イメージ１の第２フレームは、倍速基本イメージ１の第１フレームに続く１／１２０秒の信号となる。基本イメージ３，４についても同様である。
【００６０】
尚、基本イメージ生成部１２は、基本イメージ１，２から倍速基本イメージ１を生成し、基本イメージ３，４から倍速基本イメージ２を生成するようにしたが、元の２つの基本イメージの組合せはこれに限定されるものではない。例えば、基本イメージ生成部１２は、基本イメージ１，４から倍速基本イメージ１を生成し、基本イメージ２，３から倍速基本イメージ２を生成するようにしてもよい。
【００６１】
このように、基本イメージ生成部１２によれば、当該映像信号送信装置１が入力した映像信号のフレーム周波数が１２０Ｈｚの場合、図１０に示した第１の処理、図１１に示した第２の処理または図１２に示した第３の処理を行うことで、１２０Ｈｚのフレーム周波数で動作する基本イメージを生成することができる。また、基本イメージ生成部１２によれば、当該映像信号送信装置１が入力した映像信号のフレーム周波数が６０Ｈｚの場合、図１０に示した第１の処理、図１１に示した第２の処理または図１２に示した第３の処理によって生成したフレーム周波数６０Ｈｚで動作する基本イメージに対し、図１４Ａ〜図１４Ｃに示した第１の倍速化処理または図１５及び図１６Ａ〜図１６Ｃに示した第２の倍速化処理を行うことで、１２０Ｈｚのフレーム周波数で動作する倍速基本イメージを生成することができる。
【００６２】
〔基本ストリーム生成部〕
次に、図２に示した基本ストリーム生成部１３について詳細に説明する。前述のとおり、基本ストリーム生成部１３は、フレーム周波数１２０Ｈｚで動作する２ｋ×１ｋの基本イメージ（または倍速基本イメージ）から画素のラインデータを取り出し、ラインデータに制御データを付加し、１ワードをソースイメージの画素ビット数に等しい１２ビットとした１ラインあたり所定ワード長の基本ストリームを生成する。
【００６３】
図１７Ａ及び図１７Ｂは、基本ストリーム生成部１３の処理（図３に示したステップＳ３０４）を説明する図である。基本ストリーム生成部１３は、２ｋ×１ｋの画素からなる基本イメージ（または倍速基本イメージ）に対し、横方向（水平方向）のライン毎に２ｋ（２０４８）の画素を取り出す。そして、基本ストリーム生成部１３は、取り出した画素のデータＤ００００〜Ｄ２０４７に、タイミング基準信号等の制御データＥＡＶ（End of Active Video）、ＬＮ（Line Number）、ＰＩＤ（Payload ID）、ＣＲ（Cyclic Redundancy check code）、Ｈ−ＢＬＫ（Horizontal Blanking）及びＳＡＶ（Start of Active Video）を付加し、１ワードを１２ビットとして合計２２００ワード長の基本ストリームをライン毎に構成する。ここで、映像信号のソースイメージを構成する画素は、前述のとおり、１２ビットで構成されている。また、２２００ワードは、１０８０／６０ＨＤＴＶシステムのＨＤ−ＳＤＩのワード長に合わせたものである。
【００６４】
〔リンク信号生成部〕
次に、図２に示したリンク信号生成部１４について詳細に説明する。前述のとおり、リンク信号生成部１４は、２つの異なる基本イメージからそれぞれ生成された２本の異なる基本ストリームに対し多重化処理（合成処理）を施し、バイト化による整列処理及び８Ｂ／１０Ｂ符号化処理を施し、１０．６９２Ｇｂｉｔ／ｓのリンク信号を生成する。１０．６９２Ｇｂｉｔ／ｓは、ＳＭＰＴＥ４３５−１に規定されるインタフェース速度に等しいため、既存の送受信デバイスを活用することができる。
【００６５】
図１８は、リンク信号生成部１４の処理（図３に示したステップＳ３０５）を説明する図であり、図１９は、リンク信号生成部１４の処理の詳細を説明する図である。リンク信号生成部１４は、２つの異なる基本イメージに対応した２系統のＣＨ−１及びＣＨ−２の基本ストリームをそれぞれ入力する。そして、リンク信号生成部１４は、ＣＨ−１の基本ストリームにおける１ワードのデータ及びＣＨ−２の基本ストリームにおける１ワードのデータに対し、多重化処理を施す（ステップＳ１９０１）。多重化処理は、基本ストリームの最前部から最後部まで、１ワード毎に順番に行われる。
【００６６】
リンク信号生成部１４は、多重化した２ワードのデータに対しバイト化による整列処理を施し、１ワードを８ビットとした合計３ワードのデータを生成する（ステップＳ１９０２）。具体的には、図１９に示すように、リンク信号生成部１４は、ＣＨ−１の基本ストリームにおける１ワード（Ｄ０：０−１１）のデータのうちの下位８ビット（Ｄ０：０−７）と、ＣＨ−１の基本ストリームにおける１ワード（Ｄ０：１−１１）のデータのうちの上位４ビット（Ｄ０：８−１１）及びＣＨ−２の基本ストリームにおける１ワード（Ｄ１：０−１１）のデータのうちの下位４ビット（Ｄ１：０−３）の合計８ビット（Ｄ０：８−１１，Ｄ１：０−３）と、ＣＨ−２の基本ストリームにおける１ワードのデータのうちの上位８ビット（Ｄ１：４−１１）とを、１ワードを８ビットとした合計３ワードのデータとして生成する。
【００６７】
リンク信号生成部１４は、１ワードを８ビットとした合計３ワードのデータ毎に、８Ｂ／１０Ｂ符号化処理を施し、１ワードを１０ビットとした合計３ワードのデータを生成する（ステップＳ１９０３）。そして、リンク信号生成部１４は、ＣＨ−１の基本ストリーム及びＣＨ−２の基本ストリームの最前部から最後部まで、ステップＳ１９０１〜ステップＳ１９０３の処理を行い、１ワードを１０ビットとして６６００ワードのデータを生成し、これに１３２０ワードのスタッフデータ（Stuffing）を付加し、図１８に示すように、１ラインあたり７９２０ワードからなる１０．６９２Ｇｂｉｔ／ｓのリンク信号を生成する。リンク信号の速度が１０．６９２Ｇｂｉｔ／ｓとなるのは、１ラインあたりのビット数が７９２０ワード×１０ビット＝７９２００ビットであり、ライン数が１０８０＋４５（Ｖ−ＢＬＫ（垂直ブランキング）のライン数）＝１１２５ラインであり、フレーム周波数が１２０Ｈｚであり、７９２００×１１２５×１２０＝１０．６９２Ｇｂｉｔ／ｓとなるからである。
【００６８】
尚、リンク信号生成部１４は、２つの異なる基本イメージに対応した２系統のＣＨ−１及びＣＨ−２の基本ストリームを入力するようにしたが、ＣＨ−１の基本ストリーム及びＣＨ−２の基本ストリームは、基本イメージのうちのいずれか２つの基本イメージに対応したものであればよく、２つの基本イメージがそれぞれ異なる色信号コンポーネントの異なるサブイメージから生成されたものであってもよい。どの基本ストリームを組み合わせてリンク信号を生成するかは、インタフェースを具備する映像信号送信装置１の製造上または運用上の要件から決定すればよく、前記ＰＩＤを用いることで、リンク信号を構成する基本ストリームの属性（色信号コンポーネント、ソースイメージ、サブイメージ、基本イメージ、分割法等）を識別することができる。
【００６９】
図２０は、８ｋ×４ｋの入力映像信号の種々の形式に対するリンク信号の数を示す図である。１０．６９２Ｇｂｉｔ／ｓのリンク信号の数の欄において、１２０Ｈｚ及び６０Ｈｚは、当該映像信号送信装置１が入力する映像信号のフレーム周波数を示す。例えば、リンク信号の数は、映像信号が４：４：４形式の色信号コンポーネント（Ｇ，Ｂ，Ｒ）であってそのフレーム周波数が１２０Ｈｚの場合、２４本であり、同様にフレーム周波数が６０Ｈｚの場合、１２本である。また、映像信号が４：２：０形式の色信号コンポーネント（Ｙ，ＣＢ，ＣＲ）であってそのフレーム周波数が１２０Ｈｚの場合、１２本であり、同様にフレーム周波数が６０Ｈｚの場合、６本である。これらのリンク信号の数は、図４及び図５に示したように、サブイメージの数をＮとして、映像信号のフレーム周波数が１２０Ｈｚの場合に２Ｎ本であり、６０Ｈｚの場合にＮ本であることに対応している。
【００７０】
〔映像信号の形式がＤＧの場合〕
次に、図２に示した映像信号送信装置１の処理の具体例として、８ｋ×４ｋの入力映像信号の形式がＤＧ（Dual Green）の場合について説明する。ＤＧ形式の映像信号は、水平２画素×垂直２画素の４画素の領域に対して、Ｇ信号が斜めに配置された２画素、Ｂ信号とＲ信号が各１画素のＲＧＢの色信号コンポーネントにより構成される。このため、図９における信号形式ＤＧのサブイメージの構成Ｇ１，Ｇ４，Ｂ３，Ｒ２を参照して、サブイメージ生成部１１により、Ｒの色信号コンポーネントのソースイメージから１つのサブイメージが生成され、Ｇの色信号コンポーネントのソースイメージから２つのサブイメージが生成され、Ｂの色信号コンポーネントのソースイメージから１つのサブイメージが生成される。また、基本イメージ生成部１２により、Ｒの色信号コンポーネントにおける１つのサブイメージ、Ｇの色信号コンポーネントにおける２つのサブイメージ、及びＢの色信号コンポーネントにおける１つのサブイメージ毎に、それぞれ４つの基本イメージが生成される。フレーム周波数が６０Ｈｚの場合は、前述の倍速化処理によって１２０Ｈｚの倍速基本イメージが生成される。
【００７１】
画素が１０ビットで構成される場合、１２ビットの画素として扱うために、映像信号における画素の１０ビットのデータをＭＳＢ側にマッピングし、０の値を残りのＬＳＢ側にマッピングする。これにより、映像信号送信装置１は、１２ビットの画素と同様に扱うことができる。
【００７２】
〔映像信号が４ｋ×２ｋの場合〕
次に、入力映像信号が４ｋ×２ｋの画素からなる場合について説明する。図２１は、映像信号を構成する１以上の色信号コンポーネントのうちの１つの色信号コンポーネントにおいて、その１フレームのソースイメージが４ｋ（水平画素数）×２ｋ（垂直ライン数）の画素からなり、１２０Ｈｚ（毎秒１２０フレーム）のフレーム周波数で動作する場合のマッピング手順を説明する図である。尚、図２１に示すＭについては、後述する図２３にて詳細に説明する。
【００７３】
この場合、４ｋ×２ｋのソースイメージは、サブイメージ生成部１１におけるステップＳ３０２の処理により、Ｍ個の２ｋ×１ｋのサブイメージに分割される。２ｋ×１ｋのサブイメージは基本イメージに相当するため、この処理は、図１０に示した基本イメージ生成部１２による第１の処理（Ｓ３０３）に相当する。生成される基本イメージの数及び構成は、入力映像の信号形式に依存する。
【００７４】
図２３は、色信号コンポーネントの種類と信号形式に応じた、４ｋ×２ｋのソースイメージに対する２ｋ×１ｋの基本イメージの数及び構成を示す図である。図２３において、基本イメージの数Ｍは、映像信号を構成する全ての色信号コンポーネントのソースイメージから生成される基本イメージの合計数を示す。また、基本イメージの構成における「ｇ」は緑の要素、「ｂ」は青の要素、「ｒ」は赤の要素をそれぞれ示し、「ｙ」は輝度、「ｃｂ」は青の色差、「ｃｒ」は赤の色差をそれぞれ示す。例えば、映像信号が４：４：４形式の色信号コンポーネント（Ｇ，Ｂ，Ｒ）の場合、３種の色信号コンポーネントＲ，Ｇ，Ｂのソースイメージから、それぞれ４つの基本イメージが生成され、合計１２の基本イメージが生成される。また、映像信号が４：２：０形式の色信号コンポーネント（Ｙ，ＣＢ，ＣＲ）の場合、３種の色信号コンポーネントＹ，ＣＢ，ＣＲのソースイメージから、それぞれ４つ、１つ及び１つの基本イメージが生成され、合計６つの基本イメージが生成される。
【００７５】
基本イメージから、基本ストリーム生成部１３によるステップＳ３０４の処理により、基本ストリームが生成される。つまり、Ｍ個の基本イメージから、対応するＭ個の基本ストリームが生成される。そして、２系統の基本ストリームから、リンク信号生成部１４によるステップＳ３０５の処理により、１本のリンク信号が生成され、このリンク信号は、１０．６９２Ｇｂｉｔ／ｓの速度にて伝送される。つまり、Ｍ系統の基本ストリームからＭ／２本のリンク信号が生成される。
【００７６】
図２２は、映像信号のソースイメージが４ｋ×２ｋの画素からなり、６０Ｈｚのフレーム周波数で動作する場合のマッピング手順を説明する図である。４ｋ×２ｋのソースイメージは、サブイメージ生成部１１におけるステップＳ３０２の処理により、Ｍ個の２ｋ×１ｋのサブイメージに分割される。２ｋ×１ｋのサブイメージは基本イメージに相当するため、この処理は、図１０に示した基本イメージ生成部１２による第１の処理（Ｓ３０３）に相当する。そして、基本イメージ生成部１２により、フレーム周波数６０Ｈｚの基本イメージをフレーム周波数１２０Ｈｚで扱うための第１または第２の倍速化処理にて、倍速基本イメージが生成される。
【００７７】
倍速基本イメージから、基本ストリーム生成部１３によるステップＳ３０４の処理により、基本ストリームが生成される。つまり、Ｍ個の基本イメージから、Ｍ／２個の倍速基本イメージが生成され、対応するＭ／２個の基本ストリームが生成される。そして、２系統の基本ストリームから、リンク信号生成部１４によるステップＳ３０５の処理により、１本のリンク信号が生成され、このリンク信号は、１０．６９２Ｇｂｉｔ／ｓの速度にて伝送される。つまり、Ｍ／２系統の基本ストリームからＬ＝Ｍ／４本のリンク信号が生成される。ただし、信号形式が４：２：０の場合（Ｍ＝６）は、３個の基本ストリームが生成され、４個の基本ストリームが生成される４：２：２の場合（Ｍ＝８）と同様に、合計リンク数は２となる。
【００７８】
図２４は、４ｋ×２ｋの入力映像信号の種々の形式に対するリンク信号の数を示す図である。１０．６９２Ｇｂｉｔ／ｓのリンク信号の数の欄において、１２０Ｈｚ及び６０Ｈｚは、当該映像信号送信装置１が入力する映像信号のフレーム周波数を示す。例えば、リンク信号の数は、映像信号が４：４：４形式の色信号コンポーネント（Ｇ，Ｂ，Ｒ）であってそのフレーム周波数が１２０Ｈｚの場合、６本であり、同様にフレーム周波数が６０Ｈｚの場合、３本である。また、映像信号が４：２：０形式の色信号コンポーネント（Ｙ，ＣＢ，ＣＲ）であってそのフレーム周波数が１２０Ｈｚの場合、３本であり、同様にフレーム周波数が６０Ｈｚの場合、２本である。
【００７９】
以上のように、本発明の第１の実施形態による映像信号送信装置１によれば、映像信号を構成する１以上の色信号コンポーネントのそれぞれについて、映像信号の形式に応じた数のサブイメージ、基本イメージ及び基本ストリームを生成し、所定数のリンク信号を送信するようにした。すなわち、サブイメージ生成部１１、基本イメージ生成部１２及び基本ストリーム生成部１３は、色信号コンポーネント毎に処理を行うようにした。これにより、複数の色信号コンポーネントのそれぞれを独立した映像ストリームとして扱うことができ、種々の形式の映像信号を柔軟に扱うことができる。また、映像信号の形式に応じた色信号コンポーネント間の画素・ビット単位でのマッピング処理を行う必要がない。具体的には、基本ストリーム生成部１３は、色信号コンポーネント毎の所定数の基本イメージを、１ワードを１２ビットとした基本ストリームとして生成する。したがって、色信号コンポーネント間の画素・ビット単位での多重化処理及び色信号コンポーネントの画素をビット毎に組み替える処理が不要になり、映像信号の形式に応じた処理も不要になるから、映像信号の形式に依存することなく共通した簡易な処理にて、１画素が１２ビットにより構成される映像信号を、１０．６９２Ｇｂｉｔ／ｓの複数のリンク信号として送信することができる。
【００８０】
また、本発明の第１の実施形態による映像信号送信装置１によれば、基本イメージ生成部１２は、映像信号のフレーム周波数が１２０Ｈｚの場合のみならず、映像信号のフレーム周波数が６０Ｈｚの場合であっても、１２０Ｈｚのフレーム周波数で動作する基本イメージを生成するようにした。例えば、基本イメージ生成部１２は、フレーム周波数が６０Ｈｚで動作するサブイメージに対し、基本イメージを１２０Ｈｚのフレーム周波数で動作させるようにした。これにより、６０Ｈｚに加え１２０Ｈｚの高フレーム周波数の映像信号も扱うことができると共に、基本イメージを生成した後の基本ストリーム生成部１３及びリンク信号生成部１４の処理を、映像信号のフレーム周波数が６０Ｈｚ及び１２０Ｈｚの場合に共通化することができる。したがって、フレーム周波数が１２０Ｈｚの映像信号と６０Ｈｚの映像信号とが混在する場合であっても、共通の伝送クロックのインタフェースを使用することが可能となる。
【００８１】
また、本発明の第１の実施形態による映像信号送信装置１によれば、サブイメージ生成部１１、基本イメージ生成部１２、基本ストリーム生成部１３及びリンク信号生成部１４は、映像信号の信号形式に応じた数のサブイメージ、基本イメージ、基本ストリーム及びリンク信号をそれぞれ生成するようにした。ＳＭＰＴＥ２０３６−３の規格では、映像信号が総画素数の少ない４：２：０形式または４：２：２形式の場合であっても、４：４：４形式と同じ数の１０．６９２Ｇｂｉｔ／ｓのリンク信号が生成され、４：４：４形式と同じ伝送容量を必要とする。これに対し、本発明の第１の実施形態では、映像信号が総画素数の少ない４：２：０形式または４：２：２形式の場合に、４：４：４形式よりも少ない数の１０．６９２Ｇｂｉｔ／ｓのリンク信号が生成され、伝送容量を低減することができ、効率的な処理を実現することができる。
【００８２】
また、本発明の第１の実施形態による映像信号送信装置１によれば、リンク信号生成部１４は、基本ストリームに対し多重化処理を施し、バイト化による整列処理を施した後、８Ｂ／１０Ｂ符号化処理を施すようにした。ＳＭＰＴＥ２０３６−２の規格では、伝送容量の制約によって、スクランブル処理と８Ｂ／１０Ｂ符号化処理とを併用し、どちらか一方の処理を行う。スクランブル処理のみを行う場合はパソロジカル条件に完全には対応できないため、ＳＭＰＴＥ２０３６−２の規格ではパソロジカル条件に完全に対応できるとはいえない。これに対し、本発明の第１の実施形態では、８Ｂ／１０Ｂ符号化処理を必ず行うようにしたから、パソロジカル条件に完全に対応することができる。
【００８３】
〔映像信号受信装置〕
次に、図１に示した映像信号受信装置２について詳細に説明する。図２５は、映像信号受信装置２の構成を示すブロック図であり、図２６は、映像信号受信装置２の処理を説明するフローチャートである。この映像信号受信装置２は、基本ストリーム復元部２１、基本イメージ復元部２２、サブイメージ復元部２３及ソースイメージ復元部２４を備えている。
【００８４】
映像信号受信装置２が映像信号送信装置１から１以上の色信号コンポーネントからなる動画像の映像信号を１０．６９２Ｇｂｉｔ／ｓの所定数のリンク信号として受信すると、基本ストリーム復元部２１は、そのリンク信号を入力する（ステップＳ２６０１）。そして、基本ストリーム復元部２１は、図２に示したリンク信号生成部１４の逆の処理により、リンク信号に対し、復号処理（例えば８Ｂ／１０Ｂ復号処理）、８ビットのバイトデータを１２ビットのデータに変換する処理、及び分離処理を施し、基本ストリームを復元する（ステップＳ２６０２）。
【００８５】
基本イメージ復元部２２は、図２に示した基本ストリーム生成部１３の逆の処理により、基本ストリーム復元部２１により復元された基本ストリームから、映像信号のデータである画素のラインデータを抽出し、抽出した画素のラインデータを所定の順序で配列して基本イメージを復元する（ステップＳ２６０３）。尚、基本イメージ復元部２２は、前述の倍速化処理の逆の処理であるフレーム周波数の減速化処理（１／２倍速化処理）を行う場合、前述と同様の処理により、倍速基本イメージを復元する。そして、基本イメージ復元部２２は、復元した倍速基本イメージに減速化処理を施し、基本イメージを生成する。減速化処理は、図１４Ａ〜図１４Ｃに示した第１の倍速化処理、または図１５及び図１６Ａ〜図１６Ｃに示した第２の倍速化処理に対する逆の処理をいい、倍速基本イメージから基本イメージが生成される。例えば、１２０Ｈｚのフレーム周波数で動作する倍速基本イメージから６０Ｈｚのフレーム周波数で動作する基本イメージが生成される。
【００８６】
サブイメージ復元部２３は、図２に示した基本イメージ生成部１２の逆の処理により、基本イメージ復元部２２により復元された複数の基本イメージを、所定の順序で多重化（合成）し、サブイメージを復元する（ステップＳ２６０４）。具体的には、サブイメージ復元部２３は、複数の基本イメージを構成する全ての画素を用いて、所定の配置で２次元的に配列し、サブイメージを復元する。
【００８７】
ソースイメージ復元部２４は、図２に示したサブイメージ生成部１１の逆の処理により、サブイメージ復元部２３により復元された複数のサブイメージを、所定の順序で多重化（合成）し、ソースイメージを復元する（ステップＳ２６０５）。これにより、色信号コンポーネント毎のソースイメージが復元される。そして、ソースイメージ復元部２４は、復元した色信号コンポーネント毎のソースイメージを、元の映像信号として出力する（ステップＳ２６０６）。このように、映像信号受信装置２は、１０．６９２Ｇｂｉｔ／ｓの所定数のリンク信号を受信し、複数の色信号コンポーネントからなる動画像の映像信号を復元する。
【００８８】
以上のように、本発明の第１の実施形態による映像信号受信装置２によれば、基本ストリーム復元部２１はリンク信号生成部１４の逆の処理を行い、基本イメージ復元部２２は基本ストリーム生成部１３の逆の処理を行い、サブイメージ復元部２３は基本イメージ生成部１２の逆の処理を行い、ソースイメージ復元部２４はサブイメージ生成部１１の逆の処理を行うようにした。これにより、図１及び図２に示した映像信号送信装置１が入力した元の映像信号が復元される。したがって、映像信号送信装置１と同様に、複数の色信号コンポーネントのそれぞれを独立した映像ストリームとして扱うことができ、種々の形式の映像信号を柔軟に扱うことができ、映像信号の形式に応じた色信号コンポーネント間のデマッピング処理が不要となり、簡易な処理を実現することができる。
【００８９】
また、本発明の第１の実施形態による映像信号受信装置２によれば、映像信号送信装置１と同様に、６０Ｈｚに加え１２０Ｈｚの高フレーム周波数の映像信号も扱うことができ、フレーム周波数が１２０Ｈｚの映像信号と６０Ｈｚの映像信号とが混在する場合であっても、共通の伝送クロックのインタフェースを使用することが可能となる。
【００９０】
また、本発明の第１の実施形態による映像信号受信装置２によれば、映像信号送信装置１と同様に、映像信号が総画素数の少ない４：２：０形式または４：２：２形式の場合に、総画素数の多い４：４：４形式と同じ負荷の処理を行う必要がなく、処理負荷を低減することができ、効率的な処理を実現することができる。
【００９１】
また、本発明の第１の実施形態による映像信号受信装置２によれば、映像信号送信装置１と同様に、パソロジカル条件に完全に対応することができる。
【００９２】
〔第２の実施形態〕
前述した映像信号送信装置１において、基本イメージ生成部１２が基本イメージに倍速化処理を施して倍速基本イメージを生成する場合、リンク信号生成部１４は、図５、図１８及び図１９に示したように、２本の基本ストリームに対し多重化処理等を施し、１本のリンク信号を生成する。これに対し、本発明の第２の実施形態による映像信号送信装置１では、基本イメージ生成部１２が倍速基本イメージを生成せずに、基本ストリーム生成部１３が１つの基本イメージから１本の基本ストリームを生成する。そして、リンク信号生成部１４は、４本の基本ストリームに対し多重化処理等を施し、１本のリンク信号を生成する。
【００９３】
第２の実施形態による映像信号送信装置１は、図２に示した構成と同様に、サブイメージ生成部１１、基本イメージ生成部１２、基本ストリーム生成部１３及びリンク信号生成部１４を備えている。
【００９４】
図２７は、第２の実施形態による映像信号送信装置１の処理を示すフローチャートである。このステップＳ２７０１〜ステップＳ２７０４及びステップＳ２７０６の処理は、図３に示したステップＳ３０１〜ステップＳ３０４，ステップＳ３０６の処理に相当するため、説明を省略する。サブイメージ生成部１１及び基本ストリーム生成部１３は、図３に示した処理と同様の処理を行う。基本イメージ生成部１２は、ステップＳ２７０３において倍速化処理を行わない。すなわち、基本イメージ生成部１２は、サブイメージ生成部１１により生成された色信号コンポーネント毎の複数のサブイメージを入力し、サブイメージ毎に、当該サブイメージを分割して複数の基本イメージを生成し、生成した複数の基本イメージを基本ストリーム生成部１３に出力する。
【００９５】
リンク信号生成部１４は、ステップＳ２７０５において、基本ストリーム生成部１３により生成された基本ストリーム（４つの異なる基本イメージからそれぞれ生成された４本の異なる基本ストリーム）に対して多重化処理（合成処理）を施し、バイト化による整列処理及び８Ｂ／１０Ｂ符号化処理を施し、所定伝送速度のリンク信号を生成する。
【００９６】
図２８は、第２の実施形態において、映像信号のソースイメージが８ｋ×４ｋの画素からなり、６０Ｈｚのフレーム周波数で動作する場合のマッピング手順を説明する図である。映像信号を構成する色信号コンポーネントＣ１，Ｃ２，Ｃ３において、その１フレームのソースイメージは、８ｋ×４ｋの画素からなり、６０Ｈｚ（毎秒６０フレーム）のフレーム周波数で動作する場合を想定する。
【００９７】
図２８に示すように、ソースイメージから、サブイメージ生成部１１におけるステップＳ２７０２の処理により、Ｎ個のサブイメージが生成され、このサブイメージは、４ｋ×２ｋの画素からなり、６０Ｈｚのフレーム周波数で動作する。そして、サブイメージから、基本イメージ生成部１２におけるステップＳ２７０３の処理により、４つの基本イメージが生成され、この基本イメージは、２ｋ×１ｋの画素からなり、６０Ｈｚのフレーム周波数で動作する。つまり、Ｎ個のサブイメージから、合計４Ｎ個の基本イメージが生成される。
【００９８】
基本イメージから、基本ストリーム生成部１３によるステップＳ２７０４の処理により、基本ストリームが生成される。つまり、４Ｎ個の基本イメージから、対応する４Ｎ個の基本ストリームが生成される。そして、４系統の基本ストリームから、リンク信号生成部１４によるステップＳ２７０５の処理により、１本のリンク信号が生成され、このリンク信号は、１０．６９２Ｇｂｉｔ／ｓの速度にて伝送される。つまり、４Ｎ系統の基本ストリームからＮ本のリンク信号が生成される。
【００９９】
図２９は、第２の実施形態におけるリンク信号生成部１４の処理（図２７に示したステップＳ２７０５）を説明する図であり、図３０は、このリンク信号生成部１４の処理の詳細を説明する図である。リンク信号生成部１４は、４つの異なる基本イメージに対応した４系統のＣＨ−１〜ＣＨ−４の基本ストリームをそれぞれ入力し、各基本ストリームの１ワードのデータに対して多重化処理を施す（ステップＳ３００１）。多重化処理は、基本ストリームの最前部から最後部まで、１ワード毎に順番に行われる。
【０１００】
リンク信号生成部１４は、多重化した４ワードのデータに対しバイト化による整列処理を施し、１ワードを８ビットとした合計６ワードのデータを生成する（ステップＳ３００２）。そして、リンク信号生成部１４は、１ワードを８ビットとした合計６ワードのデータ毎に、８Ｂ／１０Ｂ符号化処理を施し、１ワードを１０ビットとした合計６ワードのデータを生成する（ステップＳ３００３）。そして、リンク信号生成部１４は、ＣＨ−１〜ＣＨ−４の基本ストリームの最前部から最後部まで、ステップＳ３００１〜ステップＳ３００３の処理を行い、１ワードを１０ビットとして１３２００ワードのデータを生成し、これに２６４０ワードのスタッフデータ（Stuffing）を付加し、図２９に示すように、１ラインあたり１５８４０ワードからなる１０．６９２Ｇｂｉｔ／ｓのリンク信号を生成する。
【０１０１】
図３１は、第２の実施形態において、映像信号のソースイメージが４ｋ×２ｋの画素からなり、６０Ｈｚのフレーム周波数で動作する場合のマッピング手順を説明する図である。４ｋ×２ｋのソースイメージは、サブイメージ生成部１１におけるステップＳ２７０２の処理により、Ｍ個の２ｋ×１ｋのサブイメージに分割される。この２ｋ×１ｋのサブイメージは基本イメージに相当する。基本イメージから、基本ストリーム生成部１３によるステップＳ２７０４の処理により、基本ストリームが生成される。つまり、Ｍ個の基本イメージから、対応するＭ個の基本ストリームが生成される。そして、４系統の基本ストリームから、リンク信号生成部１４によるステップＳ２７０５の処理により、１本のリンク信号が生成され、このリンク信号は、１０．６９２Ｇｂｉｔ／ｓの速度にて伝送される。つまり、Ｍ系統の基本ストリームからＬ＝Ｍ／４本のリンク信号が生成される。
【０１０２】
以上のように、本発明の第２の実施形態による映像信号送信装置１によれば、前述した第１の実施形態の場合と同様に、１画素を複数のデータワードに再構成する必要がなく、総画素数が少ない形式（例えば４：２：２形式、４：２：０形式）の映像信号の場合に伝送容量を低減し、パソロジカル条件に対応することが可能となる。
【０１０３】
また、本発明の第２の実施形態による映像信号送信装置１によれば、基本イメージ生成部１２が倍速化処理を行う代わりに、リンク信号生成部１４は、４本の基本ストリームに対し多重化処理等を施し、１本のリンク信号を生成するようにした。これにより、基本イメージ生成部１２の処理負荷を低減することができ、６０Ｈｚのフレーム周波数の映像信号も扱うことができる。
【０１０４】
次に、前述した第２の実施形態による映像信号送信装置１に対応する映像信号受信装置２について説明する。本発明の第２の実施形態による映像信号受信装置２は、図２５に示した構成と同様に、基本ストリーム復元部２１、基本イメージ復元部２２、サブイメージ復元部２３及ソースイメージ復元部２４を備えている。
【０１０５】
映像信号受信装置２は、映像信号送信装置１から１以上の色信号コンポーネントからなる動画像の映像信号を１０．６９２Ｇｂｉｔ／ｓの所定数のリンク信号として受信する。映像信号受信装置２の基本ストリーム復元部２１は、そのリンク信号を入力し、図２９及び図３０に示した送信側におけるリンク信号生成部１４の逆の処理により、１本のリンク信号に対し、復号処理（例えば８Ｂ／１０Ｂ復号処理）、８ビットのバイトデータを１２ビットのデータに変換する処理、及び分離処理を施し、４本の基本ストリームを復元する。
【０１０６】
基本イメージ復元部２２は、送信側における基本ストリーム生成部１３の逆の処理により、基本ストリーム復元部２１により復元された基本ストリームから、映像信号のデータである画素のラインデータを抽出し、抽出した画素のラインデータを所定の順序で配列して基本イメージを復元する。この場合、基本イメージ復元部２２は、送信側の基本イメージ生成部１２が倍速化処理を行わないから、図２６に示したフローチャートのうちステップＳ２６０３における括弧内の処理（減速化処理（１／２倍速化処理））を行わない。
【０１０７】
サブイメージ復元部２３は、送信側における基本イメージ生成部１２の逆の処理により、基本イメージ復元部２２により復元された複数の基本イメージを、所定の順序で多重化（合成）し、サブイメージを復元する。ソースイメージ復元部２４は、送信側におけるサブイメージ生成部１１の逆の処理により、サブイメージ復元部２３により復元された複数のサブイメージを、所定の順序で多重化（合成）し、ソースイメージを復元する。
【０１０８】
これにより、色信号コンポーネント毎のソースイメージが復元される。そして、ソースイメージ復元部２４は、復元した色信号コンポーネント毎のソースイメージを、元の映像信号として出力する。このように、第２の実施形態による映像信号受信装置２は、１０．６９２Ｇｂｉｔ／ｓの所定数のリンク信号を受信し、複数の色信号コンポーネントからなる動画像の映像信号を復元する。
【０１０９】
以上のように、本発明の第２の実施形態による映像信号受信装置２によれば、前述した第１の実施形態の場合と同様に、１画素を複数のデータワードに再構成する必要がなく、総画素数が少ない形式（例えば４：２：２形式、４：２：０形式）の映像信号の場合に伝送容量を低減し、パソロジカル条件に対応することが可能となる。
【０１１０】
また、本発明の第２の実施形態による映像信号受信装置２によれば、基本イメージ復元部２２が減速化処理を行う代わりに、ソースイメージ復元部２４は、１本のリンク信号に対し復号処理等を施し、４本の基本ストリームを復元するようにした。これにより、基本イメージ復元部２２の処理負荷を低減することができ、６０Ｈｚのフレーム周波数の映像信号も扱うことができる。  
【０１１１】
〔第３の実施形態〕
次に、本発明の第３の実施形態について説明する。第３の実施形態において、上述した実施形態と同様の構成又は処理が用いられる部分については、それらの説明を省略する。
本発明の第３の実施形態による映像信号送信装置１では、基本イメージ生成部１２が倍速基本イメージを生成せずに、基本ストリーム生成部１３が１つの基本イメージから１本の基本ストリームを生成する。そして、リンク信号生成部１４は、４本の基本ストリームに対し多重化処理等を施し、１本のリンク信号を生成する。
【０１１２】
第３の実施形態による映像信号送信装置１は、図２に示した構成と同様に、サブイメージ生成部１１、基本イメージ生成部１２、基本ストリーム生成部１３及びリンク信号生成部１４を備えている。
【０１１３】
第３の実施形態による映像信号送信装置１の処理は、第２の実施形態による映像信号送信装置１の処理を示すフローチャート（図２７）の処理と同様であるので、その説明を省略する。
【０１１４】
図３２は、第３の実施形態において、映像信号のソースイメージが８ｋ×４ｋの画素からなり、５０Ｈｚのフレーム周波数で動作する場合のマッピング手順を説明する図である。映像信号を構成する色信号コンポーネントＣ１，Ｃ２，Ｃ３において、その１フレームのソースイメージは、８ｋ×４ｋの画素からなり、５０Ｈｚ（毎秒５０フレーム）のフレーム周波数で動作する場合を想定する。
【０１１５】
図３２に示すように、ソースイメージから、サブイメージ生成部１１におけるステップＳ３７０２（図２７のステップＳ２７０２の処理に相当）の処理により、Ｎ個のサブイメージが生成され、このサブイメージは、４ｋ×２ｋの画素からなり、５０Ｈｚのフレーム周波数で動作する。そして、サブイメージから、基本イメージ生成部１２におけるステップＳ３７０３（図２７のステップＳ２７０３の処理に相当）の処理により、４つの基本イメージが生成され、この基本イメージは、２ｋ×１ｋの画素からなり、５０Ｈｚのフレーム周波数で動作する。つまり、Ｎ個のサブイメージから、合計４Ｎ個の基本イメージが生成される。
【０１１６】
基本イメージから、基本ストリーム生成部１３によるステップＳ３７０４（図２７のステップＳ２７０４の処理に相当）の処理により、基本ストリームが生成される。つまり、４Ｎ個の基本イメージから、対応する４Ｎ個の基本ストリームが生成される。そして、４系統の基本ストリームから、リンク信号生成部１４によるステップＳ３７０５（図２７のステップＳ２７０５の処理に相当）の処理により、１本のリンク信号が生成され、このリンク信号は、１０．６９２Ｇｂｉｔ／ｓの速度にて伝送される。つまり、４Ｎ系統の基本ストリームからＮ本のリンク信号が生成される。
【０１１７】
図３３は、本発明の第３の実施形態による基本ストリーム生成部１３の処理（図３に示したステップＳ３０４に相当）を説明する図である。基本ストリーム生成部１３は、２ｋ×１ｋの画素からなる基本イメージに対し、横方向（水平方向）のライン毎に画素を取り出す。そして、基本ストリーム生成部１３は、取り出した画素のデータに、タイミング基準信号等の制御データＥＡＶ（End of Active Video）、補助データ及びＳＡＶ（Start of Active Video）などを付加し、合計２６４０ワード長の基本ストリームをライン毎に構成する。
なお、図３３に示す基本ストリームでは、１〜４１行目において、１９２０〜１９２３列目にはＥＡＶが配置され、１９２４〜２６３５列目には補助データが配置され、２６３６〜２６３９列目にはＳＡＶが配置され、０〜１９１９列目には補助データが配置される。
また、図３３に示す基本ストリームでは、４２〜１１２１行目において、１９２０〜１９２３列目にはＥＡＶが配置され、１９２４〜２６３５列目には補助データが配置され、２６３６〜２６３９列目にはＳＡＶが配置され、０〜１９１９列目には基本イメージが配置される。
また、図３３に示す基本ストリームでは、１１２２〜１１２５行目において、１９２０〜１９２３列目にはＥＡＶが配置され、１９２４〜２６３５列目には補助データが配置され、２６３６〜２６３９列目にはＳＡＶが配置され、０〜１９１９列目には補助データが配置される。
【０１１８】
図３４は、本発明の第３の実施形態におけるリンク信号生成部１４の処理（図３２に示したステップＳ３７０５）を説明する図である。リンク信号生成部１４は、４つの異なる基本イメージに対応した４系統のＣＨ−１〜ＣＨ−４の基本ストリームをそれぞれ入力し、各基本ストリームの１ワードのデータに対して多重化処理を施す（図３０のステップＳ３００１に相当）。多重化処理は、基本ストリームの最前部から最後部まで、１ワード毎に順番に行われる。
なお、図３４では、４系統のＣＨ−１〜ＣＨ−４の基本ストリームのいずれにおいても、「ＥＡＶ」、「ＬＮ、ＰＩＤ、ＣＲＣ、Ｈ−ＢＬＫ」、「ＳＡＶ」、「ビデオデータ（Video Data）」の順にデータが含まれる。
【０１１９】
リンク信号生成部１４は、多重化した４ワードのデータに対しバイト化による整列処理を施し、１ワードを８ビットとした合計６ワードのデータを生成する（図３０のステップＳ３００２に相当）。そして、リンク信号生成部１４は、１ワードを８ビットとした合計６ワードのデータ毎に、８Ｂ／１０Ｂ符号化処理を施し、１ワードを１０ビットとした合計６ワードのデータを生成する（図３０のステップＳ３００３に相当）。そして、リンク信号生成部１４は、ＣＨ−１〜ＣＨ−４の基本ストリームの最前部から最後部まで、図３０のステップＳ３００１〜ステップＳ３００３に相当する処理を行い、１ワードを１０ビットとして１５８４０ワード（＝２６４０×４×３／２）のデータを生成し、これに３１６８ワードのスタッフデータ（Stuffing）を付加し、図３４に示すように、１ラインあたり１９００８ワードからなる１０．６９２Ｇｂｉｔ／ｓ（＝１９００８ワード×１０ビット×１１２５行×５０Ｈｚ）のリンク信号を生成する。
なお、図３４では、リンク信号に、「ＥＡＶ」、「ＬＮ、ＰＩＤ、ＣＲＣ、Ｈ−ＢＬＫ」、「ＳＡＶ」、「ビデオデータ（Video Data）」の順にデータが含まれる。
【０１２０】
以上のように、本発明の第３の実施形態による映像信号送信装置１によれば、前述した第１の実施形態の場合と同様に、１画素を複数のデータワードに再構成する必要がなく、総画素数が少ない形式（例えば４：２：２形式、４：２：０形式）の映像信号の場合に伝送容量を低減し、パソロジカル条件に対応することが可能となる。
【０１２１】
また、本発明の第３の実施形態による映像信号送信装置１によれば、基本イメージ生成部１２が倍速化処理を行う代わりに、リンク信号生成部１４は、４本の基本ストリームに対し多重化処理等を施し、１本のリンク信号を生成するようにした。これにより、基本イメージ生成部１２の処理負荷を低減することができ、５０Ｈｚのフレーム周波数の映像信号も扱うことができる。
【０１２２】
次に、前述した第３の実施形態による映像信号送信装置１に対応する映像信号受信装置２について説明する。本発明の第３の実施形態による映像信号受信装置２は、図２５に示した構成と同様に、基本ストリーム復元部２１、基本イメージ復元部２２、サブイメージ復元部２３及ソースイメージ復元部２４を備えている。
【０１２３】
第３の実施形態による映像信号受信装置２は、第３の実施形態による映像信号送信装置１から１以上の色信号コンポーネントからなる動画像の映像信号を１０．６９２Ｇｂｉｔ／ｓの所定数のリンク信号として受信する。第３の実施形態による映像信号受信装置２の基本ストリーム復元部２１は、そのリンク信号を入力し、図３４に示した送信側におけるリンク信号生成部１４の逆の処理により、１本のリンク信号に対し、復号処理（例えば８Ｂ／１０Ｂ復号処理）、８ビットのバイトデータを１２ビットのデータに変換する処理、及び分離処理を施し、４本の基本ストリームを復元する。
【０１２４】
基本イメージ復元部２２は、送信側における基本ストリーム生成部１３の逆の処理により、基本ストリーム復元部２１により復元された基本ストリームから、映像信号のデータである画素のラインデータを抽出し、抽出した画素のラインデータを所定の順序で配列して基本イメージを復元する。この場合、基本イメージ復元部２２は、送信側の基本イメージ生成部１２が倍速化処理を行わないから、図２６に示したフローチャートのうちステップＳ２６０３における括弧内の処理（減速化処理（１／２倍速化処理））を行わない。
【０１２５】
サブイメージ復元部２３は、送信側における基本イメージ生成部１２の逆の処理により、基本イメージ復元部２２により復元された複数の基本イメージを、所定の順序で多重化（合成）し、サブイメージを復元する。ソースイメージ復元部２４は、送信側におけるサブイメージ生成部１１の逆の処理により、サブイメージ復元部２３により復元された複数のサブイメージを、所定の順序で多重化（合成）し、ソースイメージを復元する。
【０１２６】
これにより、色信号コンポーネント毎のソースイメージが復元される。そして、ソースイメージ復元部２４は、復元した色信号コンポーネント毎のソースイメージを、元の映像信号として出力する。このように、第３の実施形態による映像信号受信装置２は、１０．６９２Ｇｂｉｔ／ｓの所定数のリンク信号を受信し、複数の色信号コンポーネントからなる動画像の映像信号を復元する。
【０１２７】
以上のように、本発明の第３の実施形態による映像信号受信装置２によれば、前述した第１の実施形態の場合と同様に、１画素を複数のデータワードに再構成する必要がなく、総画素数が少ない形式（例えば４：２：２形式、４：２：０形式）の映像信号の場合に伝送容量を低減し、パソロジカル条件に対応することが可能となる。
【０１２８】
また、本発明の第３の実施形態による映像信号受信装置２によれば、基本イメージ復元部２２が減速化処理を行う代わりに、ソースイメージ復元部２４は、１本のリンク信号に対し復号処理等を施し、４本の基本ストリームを復元するようにした。これにより、基本イメージ復元部２２の処理負荷を低減することができ、５０Ｈｚのフレーム周波数の映像信号も扱うことができる。
【０１２９】
〔第４の実施形態〕
次に、本発明の第４の実施形態について説明する。第４の実施形態において、上述した実施形態と同様の構成又は処理が用いられる部分については、それらの説明を省略する。
本発明の第４の実施形態による映像信号送信装置１では、基本イメージ生成部１２が倍速基本イメージを生成せずに、基本ストリーム生成部１３が１つの基本イメージから１本の基本ストリームを生成する。そして、リンク信号生成部１４は、８本の基本ストリームに対し多重化処理等を施し、１本のリンク信号を生成する。
【０１３０】
第４の実施形態による映像信号送信装置１は、図２に示した構成と同様に、サブイメージ生成部１１、基本イメージ生成部１２、基本ストリーム生成部１３及びリンク信号生成部１４を備えている。
【０１３１】
第４の実施形態による映像信号送信装置１の処理は、第２の実施形態による映像信号送信装置１の処理を示すフローチャート（図２７）の処理と同様であるので、その説明を省略する。
【０１３２】
図３５は、第４の実施形態において、映像信号のソースイメージが８ｋ×４ｋの画素からなり、３０Ｈｚのフレーム周波数で動作する場合のマッピング手順を説明する図である。映像信号を構成する色信号コンポーネントＣ１，Ｃ２，Ｃ３において、その１フレームのソースイメージは、８ｋ×４ｋの画素からなり、３０Ｈｚ（毎秒３０フレーム）のフレーム周波数で動作する場合を想定する。
【０１３３】
図３５に示すように、ソースイメージから、サブイメージ生成部１１におけるステップＳ４７０２（図２７のステップＳ２７０２の処理に相当）の処理により、Ｎ個のサブイメージが生成され、このサブイメージは、４ｋ×２ｋの画素からなり、３０Ｈｚのフレーム周波数で動作する。そして、サブイメージから、基本イメージ生成部１２におけるステップＳ４７０３（図２７のステップＳ２７０３の処理に相当）の処理により、４つの基本イメージが生成され、この基本イメージは、２ｋ×１ｋの画素からなり、３０Ｈｚのフレーム周波数で動作する。つまり、Ｎ個のサブイメージから、合計４Ｎ個の基本イメージが生成される。
【０１３４】
基本イメージから、基本ストリーム生成部１３によるステップＳ４７０４（図２７のステップＳ２７０４の処理に相当）の処理により、基本ストリームが生成される。つまり、４Ｎ個の基本イメージから、対応する４Ｎ個の基本ストリームが生成される。そして、８系統の基本ストリームから、リンク信号生成部１４によるステップＳ４７０５（図２７のステップＳ２７０５の処理に相当）の処理により、１本のリンク信号が生成され、このリンク信号は、１０．６９２Ｇｂｉｔ／ｓの速度にて伝送される。つまり、４Ｎ系統の基本ストリームからＮ／２本のリンク信号が生成される。
【０１３５】
図３６は、本発明の第４の実施形態による基本ストリーム生成部１３の処理（図３に示したステップＳ３０４に相当）を説明する図である。基本ストリーム生成部１３は、２ｋ×１ｋの画素からなる基本イメージに対し、横方向（水平方向）のライン毎に画素を取り出す。そして、基本ストリーム生成部１３は、取り出した画素のデータに、タイミング基準信号等の制御データＥＡＶ（End of Active Video）、補助データ及びＳＡＶ（Start of Active Video）などを付加し、合計２２００ワード長の基本ストリームをライン毎に構成する。
なお、図３６に示す基本ストリームでは、１〜４１行目において、１９２０〜１９２３列目にはＥＡＶが配置され、１９２４〜２１９５列目には補助データが配置され、２１９６〜２１９９列目にはＳＡＶが配置され、０〜１９１９列目には補助データが配置される。
また、図３６に示す基本ストリームでは、４２〜１１２１行目において、１９２０〜１９２３列目にはＥＡＶが配置され、１９２４〜２１９５列目には補助データが配置され、２１９６〜２１９９列目にはＳＡＶが配置され、０〜１９１９列目には基本イメージが配置される。
また、図３６に示す基本ストリームでは、１１２２〜１１２５行目において、１９２０〜１９２３列目にはＥＡＶが配置され、１９２４〜２１９５列目には補助データが配置され、２１９６〜２１９９列目にはＳＡＶが配置され、０〜１９１９列目には補助データが配置される。
【０１３６】
図３７は、本発明の第４の実施形態におけるリンク信号生成部１４の処理（図３５に示したステップＳ４７０５）を説明する図である。リンク信号生成部１４は、８つの異なる基本イメージに対応した８系統のＣＨ−１〜ＣＨ−８の基本ストリームをそれぞれ入力し、各基本ストリームの１ワードのデータに対して多重化処理を施す（図３０のステップＳ３００１に相当）。多重化処理は、基本ストリームの最前部から最後部まで、１ワード毎に順番に行われる。
なお、図３７では、８系統のＣＨ−１〜ＣＨ−８の基本ストリームのいずれにおいても、「ＥＡＶ」、「ＬＮ、ＰＩＤ、ＣＲＣ、Ｈ−ＢＬＫ」、「ＳＡＶ」、「ビデオデータ（Video Data）」の順にデータが含まれる。
【０１３７】
リンク信号生成部１４は、多重化した８ワードのデータに対しバイト化による整列処理を施し、１ワードを８ビットとした合計１２ワードのデータを生成する（図３０のステップＳ３００２に相当）。そして、リンク信号生成部１４は、１ワードを８ビットとした合計１２ワードのデータ毎に、８Ｂ／１０Ｂ符号化処理を施し、１ワードを１０ビットとした合計１２ワードのデータを生成する（図３０のステップＳ３００３に相当）。そして、リンク信号生成部１４は、ＣＨ−１〜ＣＨ−８の基本ストリームの最前部から最後部まで、図３０のステップＳ３００１〜ステップＳ３００３に相当する処理を行い、１ワードを１０ビットとして２６４００ワード（＝２２００×８×３／２）のデータを生成し、これに５２８０ワードのスタッフデータ（Stuffing）を付加し、図３７に示すように、１ラインあたり３１６８０ワードからなる１０．６９２Ｇｂｉｔ／ｓ（＝３１６８０ワード×１０ビット×１１２５行×３０Ｈｚ）のリンク信号を生成する。
なお、図３７では、リンク信号に、「ＥＡＶ」、「ＬＮ、ＰＩＤ、ＣＲＣ、Ｈ−ＢＬＫ」、「ＳＡＶ」、「ビデオデータ（Video Data）」の順にデータが含まれる。
【０１３８】
以上のように、本発明の第４の実施形態による映像信号送信装置１によれば、前述した第１の実施形態の場合と同様に、１画素を複数のデータワードに再構成する必要がなく、総画素数が少ない形式（例えば４：２：２形式、４：２：０形式）の映像信号の場合に伝送容量を低減し、パソロジカル条件に対応することが可能となる。
【０１３９】
また、本発明の第４の実施形態による映像信号送信装置１によれば、基本イメージ生成部１２が倍速化処理を行う代わりに、リンク信号生成部１４は、８本の基本ストリームに対し多重化処理等を施し、１本のリンク信号を生成するようにした。これにより、基本イメージ生成部１２の処理負荷を低減することができ、３０Ｈｚのフレーム周波数の映像信号も扱うことができる。
【０１４０】
次に、前述した第４の実施形態による映像信号送信装置１に対応する映像信号受信装置２について説明する。本発明の第４の実施形態による映像信号受信装置２は、図２５に示した構成と同様に、基本ストリーム復元部２１、基本イメージ復元部２２、サブイメージ復元部２３及ソースイメージ復元部２４を備えている。
【０１４１】
第４の実施形態による映像信号受信装置２は、第４の実施形態による映像信号送信装置１から１以上の色信号コンポーネントからなる動画像の映像信号を１０．６９２Ｇｂｉｔ／ｓの所定数のリンク信号として受信する。第４の実施形態による映像信号受信装置２の基本ストリーム復元部２１は、そのリンク信号を入力し、図３７に示した送信側におけるリンク信号生成部１４の逆の処理により、１本のリンク信号に対し、復号処理（例えば８Ｂ／１０Ｂ復号処理）、８ビットのバイトデータを１２ビットのデータに変換する処理、及び分離処理を施し、８本の基本ストリームを復元する。
【０１４２】
基本イメージ復元部２２は、送信側における基本ストリーム生成部１３の逆の処理により、基本ストリーム復元部２１により復元された基本ストリームから、映像信号のデータである画素のラインデータを抽出し、抽出した画素のラインデータを所定の順序で配列して基本イメージを復元する。この場合、基本イメージ復元部２２は、送信側の基本イメージ生成部１２が倍速化処理を行わないから、図２６に示したフローチャートのうちステップＳ２６０３における括弧内の処理（減速化処理（１／２倍速化処理））を行わない。
【０１４３】
サブイメージ復元部２３は、送信側における基本イメージ生成部１２の逆の処理により、基本イメージ復元部２２により復元された複数の基本イメージを、所定の順序で多重化（合成）し、サブイメージを復元する。ソースイメージ復元部２４は、送信側におけるサブイメージ生成部１１の逆の処理により、サブイメージ復元部２３により復元された複数のサブイメージを、所定の順序で多重化（合成）し、ソースイメージを復元する。
【０１４４】
これにより、色信号コンポーネント毎のソースイメージが復元される。そして、ソースイメージ復元部２４は、復元した色信号コンポーネント毎のソースイメージを、元の映像信号として出力する。このように、第４の実施形態による映像信号受信装置２は、１０．６９２Ｇｂｉｔ／ｓの所定数のリンク信号を受信し、複数の色信号コンポーネントからなる動画像の映像信号を復元する。
【０１４５】
以上のように、本発明の第４の実施形態による映像信号受信装置２によれば、前述した第１の実施形態の場合と同様に、１画素を複数のデータワードに再構成する必要がなく、総画素数が少ない形式（例えば４：２：２形式、４：２：０形式）の映像信号の場合に伝送容量を低減し、パソロジカル条件に対応することが可能となる。
【０１４６】
また、本発明の第４の実施形態による映像信号受信装置２によれば、基本イメージ復元部２２が減速化処理を行う代わりに、ソースイメージ復元部２４は、１本のリンク信号に対し復号処理等を施し、８本の基本ストリームを復元するようにした。これにより、基本イメージ復元部２２の処理負荷を低減することができ、３０Ｈｚのフレーム周波数の映像信号も扱うことができる。
【０１４７】
なお、本発明の第４の実施形態では、映像信号のソースイメージが８ｋ×４ｋの画素からなり、３０Ｈｚのフレーム周波数で動作する場合について説明したが、これに限定されるものではない。
例えば、映像信号のソースイメージが８ｋ×４ｋの画素からなり、２５Ｈｚのフレーム周波数で動作するようにしてもよい。また、映像信号のソースイメージが８ｋ×４ｋの画素からなり、２４Ｈｚのフレーム周波数で動作するようにしてもよい。
【０１４８】
映像信号のソースイメージが８ｋ×４ｋの画素からなり、２５Ｈｚのフレーム周波数で動作させる場合を、第４の実施形態の第１の変形例として説明する。第４の実施形態の第１の変形例では、図３６で説明する処理に代えて、図３８で説明する処理を用いる。また、第４の実施形態の第１の変形例では、図３７に示す信号に代えて、図３９に示す信号を用いる。
【０１４９】
図３８は、本発明の第４の実施形態の第１の変形例による基本ストリーム生成部１３の処理（図３に示したステップＳ３０４に相当）を説明する図である。基本ストリーム生成部１３は、２ｋ×１ｋの画素からなる基本イメージに対し、横方向（水平方向）のライン毎に画素を取り出す。そして、基本ストリーム生成部１３は、取り出した画素のデータに、タイミング基準信号等の制御データＥＡＶ（End of Active Video）、補助データ及びＳＡＶ（Start of Active Video）などを付加し、合計２６４０ワード長の基本ストリームをライン毎に構成する。
なお、図３８に示す基本ストリームでは、１〜４１行目において、１９２０〜１９２３列目にはＥＡＶが配置され、１９２４〜２６３５列目には補助データが配置され、２６３６〜２６３９列目にはＳＡＶが配置され、０〜１９１９列目には補助データが配置される。
また、図３８に示す基本ストリームでは、４２〜１１２１行目において、１９２０〜１９２３列目にはＥＡＶが配置され、１９２４〜２６３５列目には補助データが配置され、２６３６〜２６３９列目にはＳＡＶが配置され、０〜１９１９列目には基本イメージが配置される。
また、図３８に示す基本ストリームでは、１１２２〜１１２５行目において、１９２０〜１９２３列目にはＥＡＶが配置され、１９２４〜２６３５列目には補助データが配置され、２６３６〜２６３９列目にはＳＡＶが配置され、０〜１９１９列目には補助データが配置される。
【０１５０】
図３９は、本発明の第４の実施形態の第１の変形例におけるリンク信号生成部１４の処理（図３５に示したステップＳ４７０５）を説明する図である。リンク信号生成部１４は、８つの異なる基本イメージに対応した８系統のＣＨ−１〜ＣＨ−８の基本ストリームをそれぞれ入力し、各基本ストリームの１ワードのデータに対して多重化処理を施す（図３０のステップＳ３００１に相当）。多重化処理は、基本ストリームの最前部から最後部まで、１ワード毎に順番に行われる。第４の実施形態の第１の変形例における基本ストリームのワード長は、２６４０である。
なお、図３９では、８系統のＣＨ−１〜ＣＨ−８の基本ストリームのいずれにおいても、「ＥＡＶ」、「ＬＮ、ＰＩＤ、ＣＲＣ、Ｈ−ＢＬＫ」、「ＳＡＶ」、「ビデオデータ（Video Data）」の順にデータが含まれる。
【０１５１】
リンク信号生成部１４は、多重化した８ワードのデータに対しバイト化による整列処理を施し、１ワードを８ビットとした合計１２ワードのデータを生成する（図３０のステップＳ３００２に相当）。そして、リンク信号生成部１４は、１ワードを８ビットとした合計１２ワードのデータ毎に、８Ｂ／１０Ｂ符号化処理を施し、１ワードを１０ビットとした合計１２ワードのデータを生成する（図３０のステップＳ３００３に相当）。そして、リンク信号生成部１４は、ＣＨ−１〜ＣＨ−８の基本ストリームの最前部から最後部まで、図３０のステップＳ３００１〜ステップＳ３００３に相当する処理を行い、１ワードを１０ビットとして３１６８０ワード（＝２６４０×８×３／２）のデータを生成し、これに６３３６ワードのスタッフデータ（Stuffing）を付加し、図３９に示すように、１ラインあたり３８０１６ワードからなる１０．６９２Ｇｂｉｔ／ｓ（＝３８０１６ワード×１０ビット×１１２５行×２５Ｈｚ）のリンク信号を生成する。
なお、図３９では、リンク信号に、「ＥＡＶ」、「ＬＮ、ＰＩＤ、ＣＲＣ、Ｈ−ＢＬＫ」、「ＳＡＶ」、「ビデオデータ（Video Data）」の順にデータが含まれる。
【０１５２】
映像信号のソースイメージが８ｋ×４ｋの画素からなり、２４Ｈｚのフレーム周波数で動作させる場合を、第４の実施形態の第２の変形例として説明する。第４の実施形態の第２の変形例では、図３６で説明した処理に代えて、図４０で説明した処理が行われる。また、第４の実施形態の第２の変形例では、図３７で説明した処理に代えて、図４１で説明する処理が行われる。
【０１５３】
図４０は、本発明の第４の実施形態の第２の変形例による基本ストリーム生成部１３の処理（図３に示したステップＳ３０４に相当）を説明する図である。基本ストリーム生成部１３は、２ｋ×１ｋの画素からなる基本イメージに対し、横方向（水平方向）のライン毎に画素を取り出す。そして、基本ストリーム生成部１３は、取り出した画素のデータに、タイミング基準信号等の制御データＥＡＶ（End of Active Video）、補助データ及びＳＡＶ（Start of Active Video）などを付加し、合計２７５０ワード長の基本ストリームをライン毎に構成する。
なお、図４０に示す基本ストリームでは、１〜４１行目において、１９２０〜１９２３列目にはＥＡＶが配置され、１９２４〜２７４５列目には補助データが配置され、２７４６〜２７４９列目にはＳＡＶが配置され、０〜１９１９列目には補助データが配置される。
また、図４０に示す基本ストリームでは、４２〜１１２１行目において、１９２０〜１９２３列目にはＥＡＶが配置され、１９２４〜２７４５列目には補助データが配置され、２７４６〜２７４９列目にはＳＡＶが配置され、０〜１９１９列目には基本イメージが配置される。
また、図４０に示す基本ストリームでは、１１２２〜１１２５行目において、１９２０〜１９２３列目にはＥＡＶが配置され、１９２４〜２７４５列目には補助データが配置され、２７４６〜２７４９列目にはＳＡＶが配置され、０〜１９１９列目には補助データが配置される。
【０１５４】
図４１は、本発明の第４の実施形態の第２の変形例におけるリンク信号生成部１４の処理（図３５に示したステップＳ４７０５）を説明する図である。リンク信号生成部１４は、８つの異なる基本イメージに対応した８系統のＣＨ−１〜ＣＨ−８の基本ストリームをそれぞれ入力し、各基本ストリームの１ワードのデータに対して多重化処理を施す（図３０のステップＳ３００１に相当）。多重化処理は、基本ストリームの最前部から最後部まで、１ワード毎に順番に行われる。第４の実施形態の第２の変形例における基本ストリームのワード長は、２７５０である。
なお、図４１では、８系統のＣＨ−１〜ＣＨ−８の基本ストリームのいずれにおいても、「ＥＡＶ」、「ＬＮ、ＰＩＤ、ＣＲＣ、Ｈ−ＢＬＫ」、「ＳＡＶ」、「ビデオデータ（Video Data）」の順にデータが含まれる。
【０１５５】
リンク信号生成部１４は、多重化した８ワードのデータに対しバイト化による整列処理を施し、１ワードを８ビットとした合計１２ワードのデータを生成する（図３０のステップＳ３００２に相当）。そして、リンク信号生成部１４は、１ワードを８ビットとした合計１２ワードのデータ毎に、８Ｂ／１０Ｂ符号化処理を施し、１ワードを１０ビットとした合計１２ワードのデータを生成する（図３０のステップＳ３００３に相当）。そして、リンク信号生成部１４は、ＣＨ−１〜ＣＨ−８の基本ストリームの最前部から最後部まで、図３０のステップＳ３００１〜ステップＳ３００３に相当する処理を行い、１ワードを１０ビットとして３３０００ワード（＝２７５０×８×３／２）のデータを生成し、これに６６００ワードのスタッフデータ（Stuffing）を付加し、図４１に示すように、１ラインあたり３９６００ワードからなる１０．６９２Ｇｂｉｔ／ｓ（＝３９６００ワード×１０ビット×１１２５行×２４Ｈｚ）のリンク信号を生成する。
なお、図４１では、リンク信号に、「ＥＡＶ」、「ＬＮ、ＰＩＤ、ＣＲＣ、Ｈ−ＢＬＫ」、「ＳＡＶ」、「ビデオデータ（Video Data）」の順にデータが含まれる。
【０１５６】
第４の実施形態の第１及び第２の変形例においても、第４の実施形態と同様の効果を得ることができる。
【０１５７】
〔第５の実施形態〕
次に、本発明の第５の実施形態について説明する。第５の実施形態において、上述した実施形態と同様の構成又は処理が用いられる部分については、それらの説明を省略する。
第５の実施形態では、図３１と同様のマッピング手順を用いるため、図示を省略し、処理が異なる箇所について説明する。
【０１５８】
第５の実施形態では、映像信号のソースイメージが４ｋ×２ｋの画素からなり、５０Ｈｚのフレーム周波数で動作させる場合について説明する。４ｋ×２ｋのソースイメージは、サブイメージ生成部１１におけるステップＳ２７０２の処理により、Ｍ個の２ｋ×１ｋのサブイメージに分割される。この２ｋ×１ｋのサブイメージは基本イメージに相当する。基本イメージから、基本ストリーム生成部１３によるステップＳ２７０４の処理により、基本ストリームが生成される。つまり、Ｍ個の基本イメージから、対応するＭ個の基本ストリームが生成される。そして、４系統の基本ストリームから、リンク信号生成部１４によるステップＳ２７０５の処理により、１本のリンク信号が生成され、このリンク信号は、１０．６９２Ｇｂｉｔ／ｓの速度にて伝送される。つまり、Ｍ系統の基本ストリームからＬ＝Ｍ／４本のリンク信号が生成される。
第５の実施形態においても、第２の実施形態と同様の効果を得ることができる。
【０１５９】
〔第６の実施形態〕
次に、本発明の第６の実施形態について説明する。第６の実施形態において、上述した実施形態と同様の構成又は処理が用いられる部分については、それらの説明を省略する。
第６の実施形態では、第２の実施形態の図３１のマッピング手順に代えて、図４２に示すマッピング手順を用いる。
【０１６０】
図４２は、第６の実施形態において、映像信号のソースイメージが４ｋ×２ｋの画素からなり、３０Ｈｚのフレーム周波数で動作する場合のマッピング手順を説明する図である。映像信号を構成する色信号コンポーネントＣ１，Ｃ２，Ｃ３において、その１フレームのソースイメージは、８ｋ×４ｋの画素からなり、３０Ｈｚ（毎秒３０フレーム）のフレーム周波数で動作する場合を想定する。
【０１６１】
図４２に示すように、ソースイメージから、サブイメージ生成部１１におけるステップＳ５７０２（図２７のステップＳ２７０２の処理に相当）の処理により、Ｍ個のサブイメージが生成され、このサブイメージは、４ｋ×２ｋの画素からなり、３０Ｈｚのフレーム周波数で動作する。第６の実施形態のサブイメージは、基本イメージと同じものである。そして、サブイメージから、基本ストリーム生成部１３によるステップＳ５７０４（図２７のステップＳ２７０４の処理に相当）の処理により、基本ストリームが生成される。つまり、Ｍ個のサブイメージから、対応するＭ個の基本ストリームが生成される。そして、８系統の基本ストリームから、リンク信号生成部１４によるステップＳ５７０５（図２７のステップＳ２７０５の処理に相当）の処理により、１本のリンク信号が生成され、このリンク信号は、１０．６９２Ｇｂｉｔ／ｓの速度にて伝送される。つまり、Ｍ系統の基本ストリームからＬ（＝Ｍ／８）本のリンク信号が生成される。
【０１６２】
第６の実施形態においても、第４の実施形態等と同様の効果を得ることができる。
なお、第６の実施形態では、映像信号のソースイメージが４ｋ×２ｋの画素からなり、３０Ｈｚのフレーム周波数で動作する場合について説明したが、これに限定されるものではない。
例えば、映像信号のソースイメージが４ｋ×２ｋの画素からなり、２５Ｈｚのフレーム周波数で動作するようにしてもよい。また、映像信号のソースイメージが４ｋ×２ｋの画素からなり、２４Ｈｚのフレーム周波数で動作するようにしてもよい。このような変形を加えた場合であっても、第６の実施形態と同様の効果を得ることができる。
【０１６３】
尚、本発明の第１〜第６の実施形態では、動画像の映像信号のフレーム周波数として、２４Ｈｚ、２５Ｈｚ、３０Ｈｚ、５０Ｈｚ、６０Ｈｚ、１２０Ｈｚのいずれかを用いる場合について説明したが、これに限られるものではない。例えば、動画像の映像信号のフレーム周波数として、２４Ｈｚに代えて、２４×（１０００／１００１）Ｈｚを用いてもよく、３０Ｈｚに代えて、３０×（１０００／１００１）Ｈｚを用いてもよく、６０Ｈｚに代えて、６０×（１０００／１００１）Ｈｚを用いてもよく、１２０Ｈｚに代えて、１２０×（１０００／１００１）Ｈｚを用いてもよい。
尚、本発明の第１〜第６の実施形態による映像信号送信装置１及び映像信号受信装置２のハードウェア構成としては、通常のコンピュータを使用することができる。映像信号送信装置１及び映像信号受信装置２は、ＣＰＵ、ＲＡＭ等の揮発性の記憶媒体、ＲＯＭ等の不揮発性の記憶媒体、及びインタフェース等を備えたコンピュータによって構成される。映像信号送信装置１に備えたサブイメージ生成部１１、基本イメージ生成部１２、基本ストリーム生成部１３及びリンク信号生成部１４の各機能は、これらの機能を記述したプログラムをＣＰＵに実行させることによりそれぞれ実現される。また、映像信号受信装置２に備えた基本ストリーム復元部２１、基本イメージ復元部２２、サブイメージ復元部２３及びソースイメージ復元部２４の各機能は、これらの機能を記述したプログラムをＣＰＵに実行させることによりそれぞれ実現される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもでき、ネットワークを介して送受信することもできる。
【０１６４】
以上、第１〜第６の実施形態を挙げて本発明を説明したが、本発明は前記第１〜第６の実施形態に限定されるものではなく、その技術思想を逸脱しない範囲で種々変形可能である。例えば、前記実施形態では、映像信号送信装置１のサブイメージ生成部１１と基本イメージ生成部１２とを別々の構成部とし、サブイメージ生成部１１がソースイメージからサブイメージを生成し、基本イメージ生成部１２がサブイメージから基本イメージを生成するようにした。これに対し、サブイメージ生成部１１と基本イメージ生成部１２とを１つの構成部（基本イメージ生成部）とし、当該構成部が、ソースイメージから基本イメージを直接生成するようにしてもよい。
【０１６５】
また、前記第１の実施形態では、ソースイメージの画素数を８ｋ×４ｋ、サブイメージの画素数を４ｋ×２ｋ、基本イメージの画素数を２ｋ×１ｋと表現し、それぞれのイメージの水平画素数が２のべき乗の８１９２，４０９６，２０４８の場合を記載したが、本発明は、この値に限定されるものではない。例えば、それぞれのイメージの水平画素数が７６８０，３８４０，１９２０の場合は、水平ブランキング期間の長さを調整すればよい。
【０１６６】
また、前記第１の実施形態では、映像信号を構成する複数の色信号コンポーネントのそれぞれの画素を１２ビットとし、基本ストリーム生成部１３が、１２ビットの画素からなる基本イメージから、１２ビットを１ワードとする基本ストリームを生成するようにした。これに対し、映像信号を構成する複数の色信号コンポーネントのそれぞれの画素を１６ビットとし、基本ストリーム生成部１３が、１６ビットの画素からなる基本イメージから、１６ビットを１ワードとする基本ストリームを生成するようにしてもよい。この場合、リンク信号生成部１４は、図１８に示した１０．６９２Ｇｂｉｔ／ｓのリンク信号の速度を超えないように、８Ｂ／１０Ｂ符号化処理の代わりに、６４Ｂ／６６Ｂ符号化処理を行う。
【産業上の利用可能性】
【０１６７】
本発明は、映像信号の伝送処理において、１画素を複数のデータワードに再構成する必要がなく、総画素数が少ない形式の映像信号の場合に伝送容量を低減し、パソロジカル条件に対応することが必要な映像信号送信装置、映像信号受信装置、映像信号送信方法、映像信号受信方法、プログラム及び記録媒体などに適用することができる。
【符号の説明】
【０１６８】
１  映像信号送信装置
２  映像信号受信装置
３  伝送路
１１  サブイメージ生成部
１２  基本イメージ生成部
１３  基本ストリーム生成部
１４  リンク信号生成部
２１  基本ストリーム復元部
２２  基本イメージ復元部
２３  サブイメージ復元部
２４  ソースイメージ復元部
【図１】
2014038597.tif 000003
【図２】
2014038597.tif 000004
【図３】
2014038597.tif 000005
【図４】
2014038597.tif 000006
【図５】
2014038597.tif 000007
【図６】
2014038597.tif 000008
【図７】
2014038597.tif 000009
【図８Ａ】
2014038597.tif 000010
【図８Ｂ】
2014038597.tif 000011
【図８Ｃ】
2014038597.tif 000012
【図９】
2014038597.tif 000013
【図１０】
2014038597.tif 000014
【図１１】
2014038597.tif 000015
【図１２】
2014038597.tif 000016
【図１３Ａ】
2014038597.tif 000017
【図１３Ｂ】
2014038597.tif 000018
【図１４Ａ】
2014038597.tif 000019
【図１４Ｂ】
2014038597.tif 000020
【図１４Ｃ】
2014038597.tif 000021
【図１５】
2014038597.tif 000022
【図１６Ａ】
2014038597.tif 000023
【図１６Ｂ】
2014038597.tif 000024
【図１６Ｃ】
2014038597.tif 000025
【図１７Ａ】
2014038597.tif 000026
【図１７Ｂ】
2014038597.tif 000027
【図１８】
2014038597.tif 000028
【図１９】
2014038597.tif 000029
【図２０】
2014038597.tif 000030
【図２１】
2014038597.tif 000031
【図２２】
2014038597.tif 000032
【図２３】
2014038597.tif 000033
【図２４】
2014038597.tif 000034
【図２５】
2014038597.tif 000035
【図２６】
2014038597.tif 000036
【図２７】
2014038597.tif 000037
【図２８】
2014038597.tif 000038
【図２９】
2014038597.tif 000039
【図３０】
2014038597.tif 000040
【図３１】
2014038597.tif 000041
【図３２】
2014038597.tif 000042
【図３３】
2014038597.tif 000043
【図３４】
2014038597.tif 000044
【図３５】
2014038597.tif 000045
【図３６】
2014038597.tif 000046
【図３７】
2014038597.tif 000047
【図３８】
2014038597.tif 000048
【図３９】
2014038597.tif 000049
【図４０】
2014038597.tif 000050
【図４１】
2014038597.tif 000051
【図４２】
2014038597.tif 000052
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
所定数の色信号コンポーネントからなる動画像の映像信号から、所定速度のリンク信号を生成し、所定数の前記リンク信号を送信する映像信号送信装置であって、
前記映像信号を構成する所定数の色信号コンポーネントのそれぞれに対応して、色信号基本イメージを生成する基本イメージ生成部と、
基本ストリームを生成する基本ストリーム生成部と、
リンク信号を生成するリンク信号生成部と、を備え、
前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、
前記基本ストリーム生成部は、前記色信号基本イメージ毎に、前記基本イメージ生成部により生成された色信号基本イメージの画素を所定の順序で取り出し、基本ストリームを生成し、
前記リンク信号生成部は、前記基本ストリーム生成部により生成された同一または異なる色信号コンポーネントにおける所定数の基本ストリームを、前記基本ストリームの最前部から最後部まで１ワード毎に順番に合成し、前記合成した基本ストリームのビット長単位を異なるビット長に符号化し、前記所定速度のリンク信号を生成する映像信号送信装置。
【請求項２】
請求項１に記載の映像信号送信装置において、
前記基本イメージ生成部は、
前記色信号コンポーネントのフレームに対し、偶数ライン上で隣り合う画素を、交互に第１の色信号サブイメージと第２の色信号サブイメージとにマッピングすると共に、奇数ライン上で隣り合う画素を、交互に第３の色信号サブイメージと第４の色信号サブイメージとにマッピングし、
前記マッピングしたそれぞれの色信号サブイメージに対し、偶数ライン上で隣り合う画素を、交互に第１の色信号基本イメージと第２の色信号基本イメージとにマッピングすると共に、奇数ライン上で隣り合う画素を、交互に第３の色信号基本イメージと第４の色信号基本イメージとにマッピングする処理、
を行う映像信号送信装置。
【請求項３】
請求項２に記載の映像信号送信装置において、
前記基本イメージ生成部は、
前記所定数の色信号コンポーネントからなる動画像の映像信号の形式に応じた数の色信号サブイメージを生成する、ことを特徴とする映像信号送信装置。
【請求項４】
請求項１に記載の映像信号送信装置において、
前記動画像の映像信号のフレーム周波数として、２４Ｈｚ、２５Ｈｚ、３０Ｈｚ、５０Ｈｚ、６０Ｈｚ、１２０Ｈｚ、２４×（１０００／１００１）Ｈｚ、３０×（１０００／１００１）Ｈｚ、６０×（１０００／１００１）Ｈｚ、１２０×（１０００／１００１）Ｈｚのいずれかを用いる映像信号送信装置。
【請求項５】
請求項４に記載の映像信号送信装置において、
前記リンク信号生成部は、前記フレーム周波数に応じた数の基本ストリームを合成し、前記合成した基本ストリームの、１ワードを８ビットとしたデータに８Ｂ／１０Ｂ符号化処理を施し１ワードを１０ビットとしたデータに符号化し、前記所定速度のリンク信号を生成する、映像信号送信装置。
【請求項６】
請求項１に記載の映像信号送信装置において、
前記基本ストリーム生成部は、基本イメージから画素のラインデータを順次取り出し、取り出した画素のラインデータに制御データを付加し、１ワードを所定ビット数とした１ラインあたり所定ワード長の基本ストリームを生成する、映像信号送信装置。
【請求項７】
請求項１に記載の映像信号送信装置において、
前記リンク信号生成部は、前記基本ストリーム生成部により生成された複数の基本ストリームに対して多重化処理を施し、バイト化による整列処理および８Ｂ／１０Ｂ符号化処理を施すことによって前記所定伝送速度のリンク信号を生成する、映像信号送信装置。
【請求項８】
請求項１に記載の映像信号送信装置から所定数のリンク信号を受信し、所定数の色信号コンポーネントからなる動画像の映像信号を復元する映像信号受信装置であって、
前記映像信号を構成する所定数の色信号コンポーネントのそれぞれに対応して、色信号基本イメージを復元する基本イメージ復元部と、
ソースイメージを復元するソースイメージ復元部と、
基本ストリームを復元する基本ストリーム復元部と、を備え、
前記基本ストリーム復元部は、前記リンク信号のビット長単位を所定ビット長に復号し、１本の前記リンク信号から同一または異なる色信号コンポーネントにおける所定数の基本ストリームを復元し、
前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、
前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、
前記復元した所定数の色信号コンポーネントのソースイメージを映像信号として出力する映像信号受信装置。
【請求項９】
所定数の色信号コンポーネントからなる動画像の映像信号から、所定速度のリンク信号を生成し、所定数の前記リンク信号を送信する映像信号送信装置のコンピュータを、
前記映像信号を構成する所定数の色信号コンポーネントのそれぞれに対応して、色信号基本イメージを生成する基本イメージ生成部と、
基本ストリームを生成する基本ストリーム生成部と、
リンク信号を生成するリンク信号生成部と、して機能させ、
前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、
前記基本ストリーム生成部は、前記色信号基本イメージ毎に、前記基本イメージ生成部により生成された色信号基本イメージの画素を所定の順序で取り出し、基本ストリームを生成し、
前記リンク信号生成部は、前記基本ストリーム生成部により生成された同一または異なる色信号コンポーネントにおける所定数の基本ストリームを、前記基本ストリームの最前部から最後部まで１ワード毎に順番に合成し、前記合成した基本ストリームのビット長単位を異なるビット長に符号化し、前記所定速度のリンク信号を生成するように機能させるためのプログラム。
【請求項１０】
請求項１に記載の映像信号送信装置から所定数のリンク信号を受信し、所定数の色信号コンポーネントからなる動画像の映像信号を復元する映像信号受信装置のコンピュータを、
前記映像信号を構成する所定数の色信号コンポーネントのそれぞれに対応して、色信号基本イメージを復元する基本イメージ復元部と、
ソースイメージを復元するソースイメージ復元部と、
基本ストリームを復元する基本ストリーム復元部と、して機能させ、
前記基本ストリーム復元部は、前記リンク信号のビット長単位を所定ビット長に復号し、１本の前記リンク信号から同一または異なる色信号コンポーネントにおける所定数の基本ストリームを復元し、
前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、
前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、
前記復元した所定数の色信号コンポーネントのソースイメージを映像信号として出力するように機能させるプログラム。
【手続補正２】
【補正対象書類名】明細書
【補正対象項目名】００１２
【補正方法】変更
【補正の内容】
【００１２】
（１）  本発明の第１の態様は、所定数の色信号コンポーネントからなる動画像の映像信号から、所定速度のリンク信号を生成し、所定数の前記リンク信号を送信する映像信号送信装置であって、前記映像信号を構成する所定数の色信号コンポーネントのそれぞれに対応して、色信号基本イメージを生成する基本イメージ生成部と、基本ストリームを生成する基本ストリーム生成部と、リンク信号を生成するリンク信号生成部と、を備え、前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、前記基本ストリーム生成部は、前記色信号基本イメージ毎に、前記基本イメージ生成部により生成された色信号基本イメージの画素を所定の順序で取り出し、基本ストリームを生成し、前記リンク信号生成部は、前記基本ストリーム生成部により生成された同一または異なる色信号コンポーネントにおける所定数の基本ストリームを、前記基本ストリームの最前部から最後部まで１ワード毎に順番に合成し、前記合成した基本ストリームのビット長単位を異なるビット長に符号化し、前記所定速度のリンク信号を生成する映像信号送信装置である。
【手続補正３】
【補正対象書類名】明細書
【補正対象項目名】００１３
【補正方法】変更
【補正の内容】
【００１３】
（２）  また、本発明の第１の態様において、前記基本イメージ生成部は、前記色信号コンポーネントのフレームに対し、偶数ライン上で隣り合う画素を、交互に第１の色信号サブイメージと第２の色信号サブイメージとにマッピングすると共に、奇数ライン上で隣り合う画素を、交互に第３の色信号サブイメージと第４の色信号サブイメージとにマッピングし、前記マッピングしたそれぞれの色信号サブイメージに対し、偶数ライン上で隣り合う画素を、交互に第１の色信号基本イメージと第２の色信号基本イメージとにマッピングすると共に、奇数ライン上で隣り合う画素を、交互に第３の色信号基本イメージと第４の色信号基本イメージとにマッピングする処理、を行ってもよい。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
（３）  また、本発明の第１の態様において、前記基本イメージ生成部は、前記所定数の色信号コンポーネントからなる動画像の映像信号の形式に応じた数の色信号サブイメージを生成してもよい。
【手続補正７】
【補正対象書類名】明細書
【補正対象項目名】００１７
【補正方法】変更
【補正の内容】
【００１７】
（４）  また、本発明の第１の態様において、前記動画像の映像信号のフレーム周波数として、２４Ｈｚ、２５Ｈｚ、３０Ｈｚ、５０Ｈｚ、６０Ｈｚ、１２０Ｈｚ、２４×（１０００／１００１）Ｈｚ、３０×（１０００／１００１）Ｈｚ、６０×（１０００／１００１）Ｈｚ、１２０×（１０００／１００１）Ｈｚのいずれかを用いてもよい。
（５）  また、本発明の第１の態様において、前記リンク信号生成部は、前記フレーム周波数に応じた数の基本ストリームを合成し、前記合成した基本ストリームの、１ワードを８ビットとしたデータに８Ｂ／１０Ｂ符号化処理を施し１ワードを１０ビットとしたデータに符号化し、前記所定速度のリンク信号を生成する、ようにしてもよい。
（６）  また、本発明の第１の態様において、前記基本ストリーム生成部は、基本イメージから画素のラインデータを順次取り出し、取り出した画素のラインデータに制御データを付加し、１ワードを所定ビット数とした１ラインあたり所定ワード長の基本ストリームを生成する、ようにしてもよい。
（７）  また、本発明の第１の態様において、前記リンク信号生成部は、前記基本ストリーム生成部により生成された複数の基本ストリームに対して多重化処理を施し、バイト化による整列処理および８Ｂ／１０Ｂ符号化処理を施すことによって前記所定伝送速度のリンク信号を生成する、ようにしてもよい。
【手続補正８】
【補正対象書類名】明細書
【補正対象項目名】００１８
【補正方法】変更
【補正の内容】
【００１８】
（８）  本発明の第２の態様は、前記第１の態様の映像信号送信装置から所定数のリンク信号を受信し、所定数の色信号コンポーネントからなる動画像の映像信号を復元する映像信号受信装置であって、前記映像信号を構成する所定数の色信号コンポーネントのそれぞれに対応して、色信号基本イメージを復元する基本イメージ復元部と、ソースイメージを復元するソースイメージ復元部と、基本ストリームを復元する基本ストリーム復元部と、を備え、前記基本ストリーム復元部は、前記リンク信号のビット長単位を所定ビット長に復号し、１本の前記リンク信号から同一または異なる色信号コンポーネントにおける所定数の基本ストリームを復元し、前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、前記復元した所定数の色信号コンポーネントのソースイメージを映像信号として出力する映像信号受信装置である。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
（９）  本発明の第３の態様は、所定数の色信号コンポーネントからなる動画像の映像信号から、所定速度のリンク信号を生成し、所定数の前記リンク信号を送信する映像信号送信装置のコンピュータを、前記映像信号を構成する所定数の色信号コンポーネントのそれぞれに対応して、色信号基本イメージを生成する基本イメージ生成部と、基本ストリームを生成する基本ストリーム生成部と、リンク信号を生成するリンク信号生成部と、して機能させ、前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、前記基本ストリーム生成部は、前記色信号基本イメージ毎に、前記基本イメージ生成部により生成された色信号基本イメージの画素を所定の順序で取り出し、基本ストリームを生成し、前記リンク信号生成部は、前記基本ストリーム生成部により生成された同一または異なる色信号コンポーネントにおける所定数の基本ストリームを、前記基本ストリームの最前部から最後部まで１ワード毎に順番に合成し、前記合成した基本ストリームのビット長単位を異なるビット長に符号化し、前記所定速度のリンク信号を生成するように機能させるためのプログラムである。
【手続補正１２】
【補正対象書類名】明細書
【補正対象項目名】００２２
【補正方法】変更
【補正の内容】
【００２２】
（１０）  本発明の第４の態様は、前記第１の態様の映像信号送信装置から所定数のリンク信号を受信し、所定数の色信号コンポーネントからなる動画像の映像信号を復元する映像信号受信装置のコンピュータを、前記映像信号を構成する所定数の色信号コンポーネントのそれぞれに対応して、色信号基本イメージを復元する基本イメージ復元部と、ソースイメージを復元するソースイメージ復元部と、基本ストリームを復元する基本ストリーム復元部と、して機能させ、前記基本ストリーム復元部は、前記リンク信号のビット長単位を所定ビット長に復号し、１本の前記リンク信号から同一または異なる色信号コンポーネントにおける所定数の基本ストリームを復元し、前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、前記復元した所定数の色信号コンポーネントのソースイメージを映像信号として出力するように機能させるプログラムである。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
所定数の色信号コンポーネントからなる動画像の映像信号から、所定速度のリンク信号を生成し、所定数の前記リンク信号を送信する映像信号送信装置であって、
前記映像信号を構成する所定数の色信号コンポーネントのそれぞれに対応して、色信号基本イメージを生成する基本イメージ生成部と、
基本ストリームを生成する基本ストリーム生成部と、
リンク信号を生成するリンク信号生成部と、を備え、
前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、
前記基本ストリーム生成部は、前記色信号基本イメージ毎に、前記基本イメージ生成部により生成された色信号基本イメージの画素を所定の順序で取り出し、基本ストリームを生成し、
前記リンク信号生成部は、前記基本ストリーム生成部により生成された同一または異なる色信号コンポーネントにおける所定数の基本ストリームを、前記基本ストリームの最前部から最後部まで１ワード毎に順番に合成し、前記合成した基本ストリームのビット長単位を異なるビット長に符号化し、前記所定速度のリンク信号を生成する映像信号送信装置。
【請求項２】
請求項１に記載の映像信号送信装置において、
前記基本イメージ生成部は、
前記色信号コンポーネントのフレームに対し、偶数ライン上で隣り合う画素を、交互に第１の色信号サブイメージと第２の色信号サブイメージとにマッピングすると共に、奇数ライン上で隣り合う画素を、交互に第３の色信号サブイメージと第４の色信号サブイメージとにマッピングし、
前記マッピングしたそれぞれの色信号サブイメージに対し、偶数ライン上で隣り合う画素を、交互に第１の色信号基本イメージと第２の色信号基本イメージとにマッピングすると共に、奇数ライン上で隣り合う画素を、交互に第３の色信号基本イメージと第４の色信号基本イメージとにマッピングする処理、
を行う映像信号送信装置。
【請求項３】
請求項２に記載の映像信号送信装置において、
前記基本イメージ生成部は、
前記所定数の色信号コンポーネントからなる動画像の映像信号の形式に応じた数の色信号サブイメージを生成する、ことを特徴とする映像信号送信装置。
【請求項４】
請求項１に記載の映像信号送信装置において、
前記動画像の映像信号のフレーム周波数として、２４Ｈｚ、２５Ｈｚ、３０Ｈｚ、５０Ｈｚ、６０Ｈｚ、１２０Ｈｚ、２４×（１０００／１００１）Ｈｚ、３０×（１０００／１００１）Ｈｚ、６０×（１０００／１００１）Ｈｚ、１２０×（１０００／１００１）Ｈｚのいずれかを用いる映像信号送信装置。
【請求項５】
請求項４に記載の映像信号送信装置において、
前記リンク信号生成部は、前記フレーム周波数に応じた数の基本ストリームを合成し、前記合成した基本ストリームの、１ワードを８ビットとしたデータに８Ｂ／１０Ｂ符号化処理を施し１ワードを１０ビットとしたデータに符号化し、前記所定速度のリンク信号を生成する、映像信号送信装置。
【請求項６】
請求項１に記載の映像信号送信装置において、
前記基本ストリーム生成部は、基本イメージから画素のラインデータを順次取り出し、取り出した画素のラインデータに制御データを付加し、１ワードを所定ビット数とした１ラインあたり所定ワード長の基本ストリームを生成する、映像信号送信装置。
【請求項７】
請求項１に記載の映像信号送信装置において、
前記リンク信号生成部は、前記基本ストリーム生成部により生成された複数の基本ストリームに対して多重化処理を施し、バイト化による整列処理および８Ｂ／１０Ｂ符号化処理を施すことによって前記所定速度のリンク信号を生成する、映像信号送信装置。
【請求項８】
請求項１に記載の映像信号送信装置から所定数のリンク信号を受信し、所定数の色信号コンポーネントからなる動画像の映像信号を復元する映像信号受信装置であって、
前記映像信号を構成する所定数の色信号コンポーネントのそれぞれに対応して、色信号基本イメージを復元する基本イメージ復元部と、
ソースイメージを復元するソースイメージ復元部と、
基本ストリームを復元する基本ストリーム復元部と、を備え、
前記基本ストリーム復元部は、前記リンク信号のビット長単位を所定ビット長に復号し、１本の前記リンク信号から同一または異なる色信号コンポーネントにおける所定数の基本ストリームを復元し、
前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、
前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、
前記復元した所定数の色信号コンポーネントのソースイメージを映像信号として出力する映像信号受信装置。
【請求項９】
所定数の色信号コンポーネントからなる動画像の映像信号から、所定速度のリンク信号を生成し、所定数の前記リンク信号を送信する映像信号送信装置のコンピュータを、
前記映像信号を構成する所定数の色信号コンポーネントのそれぞれに対応して、色信号基本イメージを生成する基本イメージ生成部と、
基本ストリームを生成する基本ストリーム生成部と、
リンク信号を生成するリンク信号生成部と、して機能させ、
前記基本イメージ生成部は、前記色信号コンポーネント毎に、前記色信号コンポーネントのフレームを構成する画素を２次元的に均等間隔で取り出し、前記取り出した画素を所定の配置で２次元的に配列し、所定数の色信号基本イメージを生成し、
前記基本ストリーム生成部は、前記色信号基本イメージ毎に、前記基本イメージ生成部により生成された色信号基本イメージの画素を所定の順序で取り出し、基本ストリームを生成し、
前記リンク信号生成部は、前記基本ストリーム生成部により生成された同一または異なる色信号コンポーネントにおける所定数の基本ストリームを、前記基本ストリームの最前部から最後部まで１ワード毎に順番に合成し、前記合成した基本ストリームのビット長単位を異なるビット長に符号化し、前記所定速度のリンク信号を生成するように機能させるためのプログラム。
【請求項１０】
請求項１に記載の映像信号送信装置から所定数のリンク信号を受信し、所定数の色信号コンポーネントからなる動画像の映像信号を復元する映像信号受信装置のコンピュータを、
前記映像信号を構成する所定数の色信号コンポーネントのそれぞれに対応して、色信号基本イメージを復元する基本イメージ復元部と、
ソースイメージを復元するソースイメージ復元部と、
基本ストリームを復元する基本ストリーム復元部と、して機能させ、
前記基本ストリーム復元部は、前記リンク信号のビット長単位を所定ビット長に復号し、１本の前記リンク信号から同一または異なる色信号コンポーネントにおける所定数の基本ストリームを復元し、
前記基本イメージ復元部は、前記基本ストリーム毎に、前記基本ストリーム復元部により復元された基本ストリームから前記映像信号のデータを抽出し、前記映像信号のデータを画素として所定の順序で配列し、色信号基本イメージを復元し、
前記ソースイメージ復元部は、前記基本イメージ復元部により復元された同一の色信号コンポーネントにおける所定数の色信号基本イメージの画素を所定の順序で多重化し、色信号コンポーネントのソースイメージを復元し、
前記復元した所定数の色信号コンポーネントのソースイメージを映像信号として出力するように機能させるプログラム。
【手続補正３】
【補正対象書類名】明細書
【補正対象項目名】００１７
【補正方法】変更
【補正の内容】
【００１７】
（４）  また、本発明の第１の態様において、前記動画像の映像信号のフレーム周波数として、２４Ｈｚ、２５Ｈｚ、３０Ｈｚ、５０Ｈｚ、６０Ｈｚ、１２０Ｈｚ、２４×（１０００／１００１）Ｈｚ、３０×（１０００／１００１）Ｈｚ、６０×（１０００／１００１）Ｈｚ、１２０×（１０００／１００１）Ｈｚのいずれかを用いてもよい。
（５）  また、本発明の第１の態様において、前記リンク信号生成部は、前記フレーム周波数に応じた数の基本ストリームを合成し、前記合成した基本ストリームの、１ワードを８ビットとしたデータに８Ｂ／１０Ｂ符号化処理を施し１ワードを１０ビットとしたデータに符号化し、前記所定速度のリンク信号を生成する、ようにしてもよい。
（６）  また、本発明の第１の態様において、前記基本ストリーム生成部は、基本イメージから画素のラインデータを順次取り出し、取り出した画素のラインデータに制御データを付加し、１ワードを所定ビット数とした１ラインあたり所定ワード長の基本ストリームを生成する、ようにしてもよい。
（７）  また、本発明の第１の態様において、前記リンク信号生成部は、前記基本ストリーム生成部により生成された複数の基本ストリームに対して多重化処理を施し、バイト化による整列処理および８Ｂ／１０Ｂ符号化処理を施すことによって前記所定速度のリンク信号を生成する、ようにしてもよい。
【国際調査報告】
2014038597.tif 000053
2014038597.tif 000054
2014038597.tif 000055
2014038597.tif 000056